(57)【要約】      （修正有）【課題】余分な機械的構成部材に依存することなく、円滑で安定した球送り作動を可能とするようにした遊技機用球送り装置を提供する。【解決手段】球送り装置において、球送り部材は、ケーシング内にて上下方向に傾動可能に支持される傾動基部と、当該傾動基部の上下方向への傾動に連動して上下方向へ傾動するように傾動基部と一体的に構成される前側及び後側の球受け部１６１とを具備して、傾動基部の下方への傾動に伴い球案内通路１３１からの遊技球を前側球受け部１６１にて受承し、然る後、傾動基部の上方への傾動に伴い受承遊技球を前側球受け部１６１から突起Ｑを介し後側球受け部へ移動し、ついで、傾動基部の下方への傾動に伴い、後側球受け部へ移動する遊技球を球送り口部１２５に向けて移動させる。【選択図】図２５
2016067591.tif 000002
【特許請求の範囲】
【請求項１】
遊技機の球受け皿側からの遊技球を球発射装置の発射レール側に向けて送るように前記球受け皿と前記球発射レールとの間に配設される球送り装置において、
ケーシングと、当該ケーシング内に収容される球送り部材とを備えており、
前記ケーシングは、
前記球受け皿からの遊技球を導入する球導入部と、
当該球導入部から導入される遊技球を案内する球案内通路と、
当該球案内通路により案内される遊技球を前記球発射レール上に送り出す球送り口部と、
遊技球が前記球案内通路を介し前記球送り口部から出るまでの間に支持される突起とを具備してなり、
前記球送り部材は、
前記ケーシング内にて上下方向に傾動可能に支持される傾動基部と、
当該傾動基部の上下方向への傾動に連動して上下方向へ傾動するように前記傾動基部と一体的に構成される第１及び第２の球受け部とを具備して、
前記傾動基部の下方への傾動に伴い前記球案内通路からの遊技球を前記第１球受け部にて受承し、
然る後、前記傾動基部の上方への傾動に伴い前記受承遊技球を前記第１球受け部から前記突起を介し前記第２球受け部へ移動し、
ついで、前記傾動基部の下方への傾動に伴い、前記第２球受け部へ移動した遊技球を前記球送り口部に向けて移動させるようにしたことを特徴とする遊技機用球送り装置。
【請求項２】
前記球送り部材は、前記第１球受け部にて、前記傾動基部が上方へ傾動したときに前記球案内通路上の遊技球と前記第１球受け部の前記受承遊技球とを相互に分離すべく、上方へ楔状に突出するように形成されていることを特徴とする請求項１に記載の遊技機用球送り装置。
【請求項３】
前記ケーシングは、
前記球送り口部側に位置する側壁部と、
当該側壁部のうち前記球送り口部の下縁部に沿い前記第２球受け部側へ延出する第１案内壁部と、
前記第２球受け部から移動する遊技球を受承して前記球送り口部内に案内する傾斜状案内面部を有するように形成してなる第２案内壁部とを備えていることを特徴とする請求項１または２に記載の遊技機用球送り装置。
【発明の詳細な説明】
【技術分野】
【０００１】
本発明は、パチンコ遊技機等の遊技機に採用される遊技機用球送り装置に関するものである。
【背景技術】
【０００２】
従来、この種の遊技機としては、下記特許文献１に記載の弾球遊技機が開示されている。当該弾球遊技機は球送り装置を備えている。当該球送り装置においては、球送りソレノイド、糸斬りソレノイド、球送りレバー及びカッターが球送りカセット内に設けられている。
【０００３】
このような構成のもと、当該弾球遊技機に設けた上皿からの遊技球が、球送りカセットの前壁に設けた球導入口を通り導入されたとき、この導入遊技球が、球送りソレノイドの駆動及びこれに伴う球送りレバーの移動でもって、球送りカセットの背壁に設けた球排出口から球発射装置の発射台上に送り出されるようになっている。
【先行技術文献】
【特許文献】
【０００４】
【特許文献１】特開２０１２−２２８３９４号公報
【発明の概要】
【発明が解決しようとする課題】
【０００５】
ところで、上述した弾球遊技機においては、導入遊技球を球排出口まで送る作動が、上述のごとく、球送りカセットの他に球送りソレノイド、糸斬りソレノイド、球送りレバー及びカッターという複数の構成部材でもってなされる。
【０００６】
このため、導入遊技球を安定して排出口に送り難いおそれがある。また、導入遊技球を安定して排出口に送り得たとしても、上述のような複雑な構成部材を必須とするという不具合がある。
【０００７】
そこで、本発明は、以上のようなことに対処するため、余分な機械的構成部材に依存することなく、円滑で安定した球送り作動を可能とするようにした遊技機用球送り装置を提供することを目的とする。
【課題を解決するための手段】
【０００８】
上記課題の解決にあたり、本発明に係る遊技機用球送り装置は、請求項１の記載によれば、
遊技機の球受け皿（９０）側からの遊技球を球発射装置（７０）の発射レール（７０ｂ）側に向けて送るように球受け皿と球発射レールとの間に配設される。
【０００９】
当該球送り装置において、
ケーシング（Ｋ）と、当該ケーシング内に収容される球送り部材（１４０）とを備えており、
ケーシングは、
球受け皿からの遊技球を導入する球導入部（１１５）と、
当該球導入部から導入される遊技球を案内する球案内通路（１３１）と、
当該球案内通路により案内される遊技球を球発射レール上に送り出す球送り口部（１２５）と、
遊技球が球案内通路を介し上記球送り口部から出るまでの間に支持される突起（Ｑ）とを具備してなり、
球送り部材は、
ケーシング内にて上下方向に傾動可能に支持される傾動基部（１５０ａ）と、
当該傾動基部の上下方向への傾動に連動して上下方向へ傾動するように上記傾動基部と一体的に構成される第１及び第２の球受け部（１６１、１６３）とを具備して、
上記傾動基部の下方への傾動に伴い球案内通路からの遊技球を上記第１球受け部にて受承し、
然る後、上記傾動基部の上方への傾動に伴い上記受承遊技球を上記第１球受け部から上記突起を介し上記第２球受け部へ移動し、
ついで、上記傾動基部の下方への傾動に伴い、上記第２球受け部へ移動した遊技球を上記球送り口部に向けて移動させるようにしたことを特徴とする。
【００１０】
これによれば、上述のように球案内通路に維持されている遊技球が、傾動基部の下方への傾動に伴い第１球受け部にて受承され、ついで、傾動基部の上方への傾動に伴い、第１球受け部から突起を介し第２球受け部へ移動し、然る後、傾動基部の再度の下方への傾動に伴い球送り口部に向けて移動することで、遊技球の球案内通路１３１から球送り口部への移動が、余分な機械的構成部材に依存することなく円滑に安定してなされ得る。
【００１１】
また、本発明は、請求項２の記載によれば、請求項１に記載の遊技機用球送り装置において、
球送り部材は、上記第１球受け部にて、上記傾動基部が上方へ傾動したときに球案内通路上の遊技球と上記第１球受け部の上記受承遊技球とを相互に分離すべく、上方へ楔状に突出するように形成されていることを特徴とする。
【００１２】
これにより、第１球受け部の受承遊技球に後続する遊技球が球案内通路上に存在していても、当該後続する遊技球が、傾動基部の上方への傾動の際に、第１球受け部により第１球受け部の受承遊技球から分離される。このため、球送り部材の球送りにおいては複数の遊技球が連続して行われることなく、１個ずつなされ得る。
【００１３】
また、本発明は、請求項３の記載によれば、請求項１または２に記載の遊技機用球送り装置において、
ケーシングは、
上記球送り口部側に位置する側壁部（１２４）と、
当該側壁部のうち上記球送り口部の下縁部に沿い上記第２球受け部側へ延出する第１案内壁部（１２６）と、
上記第２球受け部から移動する遊技球を受承して上記球送り口部内に案内する傾斜状案内面部を有するように形成してなる第２案内壁部（１２７）とを備えることを特徴とする。
【００１４】
これによれば、第２球受け部へ移動する遊技球は、第１案内壁部の上面部に沿い第２案内壁部によりその傾斜状案内面部でもって球送り口部内に円滑に案内され得る。
【発明の効果】
【００１５】
本発明によれば、上述のように球案内通路に維持されている遊技球が、傾動基部の下方への傾動に伴い第１球受け部にて受承され、ついで、傾動基部の上方への傾動に伴い、第１球受け部から突起を介し第２球受け部へ移動し、然る後、傾動基部の再度の下方への傾動に伴い球送り口部に向けて移動することで、遊技球の球案内通路１３１から球送り口部への移動が円滑になされ得る。
【００１６】
なお、上記各手段の括弧内の符号は、後述する実施形態に記載の具体的手段との対応関係を示す。
【図面の簡単な説明】
【００１７】
【図１】本発明に係るパチンコ遊技機の一実施形態を示す斜視図である。
【図２】図１のパチンコ遊技機を、前扉を遊技機本体から開いた状態にて示す斜視図である。
【図３】図２にて符号Ｒｃでもって包囲される構成部位の拡大斜視図である。
【図４】図３にて示す構成部位において、球送り装置を遊技機本体から分離した状態にて示す拡大分解斜視図である。
【図５】図４の球送り装置を前側から見た拡大斜視図である。
【図６】図４の球送り装置を前側から見た拡大斜視図である。
【図７】図４の球送り装置を示す正面図である。
【図８】図７にて円Ｒｄにより包囲される構成部位の拡大正面図である。
【図９】図４の球送り装置を後側から見た斜視図である。
【図１０】図９にて円Ｒｅにより包囲される構成部位の拡大斜視図である。
【図１１】図１３の部分拡大図である。
【図１２】図５にて示す球送り装置を、前側ケーシング部材を省略した状態にて示す斜視図である。
【図１３】図５にて示す球送り装置を、前側ケーシング部材を省略した状態にて示す正面図である。
【図１４】図５にて示す球送り装置を、前側ケーシング部材を省略した状態にて示す正面図である。
【図１５】図１３或いは図１４の球送り部材を前側から見た斜視図である。
【図１６】図１３或いは図１４の球送り部材を後側から見た斜視図である。
【図１７】図１３或いは図１４の球送り部材を後側から見た他の斜視図である。
【図１８】図９の球送り装置を、後側ケーシング部材から金属板及び押え部材を分離した状態にて示す分解斜視図である。
【図１９】図１８の金属板を示す拡大斜視図である。
【図２０】図１８の押え部材を示す拡大斜視図である。
【図２１】図９にて円Ｒｅでもって包囲される構成部位の一部をその後側から見て示す部分拡大後面図である。
【図２２】図１９にて示す金属板を後側から見た後面図である。
【図２３】（ａ）は図２２にてＡ−Ａ線に沿う断面を示す断面図であり、（ｂ）は、図２２にてＢ−Ｂ線に沿う断面を示す断面図である。
【図２４】図２２にて円Ｒｆにより包囲される構成部位の拡大図である。
【図２５】上記実施形態における球送り装置の動作状態を、前側ケーシング部材を省略した状態で示す正面図である。
【図２６】上記実施形態における球送り装置の他の動作状態を、前側ケーシング部材を省略した状態で示す正面図である。
【図２７】上記実施形態における球送り装置のその他の動作状態を、前側ケーシング部材を省略した状態で示す正面図である。
【図２８】上記実施形態における球送り装置のその他の動作状態を、前側ケーシング部材を省略した状態で示す正面図である。
【図２９】上記実施形態において、球送り装置を、遊技球が球導入口部に導入される状態にて示す正面図である。
【図３０】図２９にて球送り装置を、ケーシングの上壁を省略した状態にて球導入口部から導入される遊技球の移動状態を示す平面図である。
【図３１】上記実施形態において、遊技者が不正行為を行うために利用する糸付き遊技球の遊技盤の盤面に沿う案内状態にて遊技盤を球送り装置と共に示す正面図である。
【図３２】図３１において円Ｒｇにより包囲される構成部位を示す拡大正面図である。
【発明を実施するための形態】
【００１８】
以下、本発明の一実施形態を図面により説明する。
【００１９】
図１は、本発明が適用されるパチンコ遊技機の一実施形態を示している。当該パチンコ遊技機は、パチンコホール（図示しない）内の島（図示しない）に立設されるもので、このパチンコ遊技機は、機枠Ｆｗと、この機枠Ｆｗに対し前後方向に開閉可能に支持される遊技機本体Ｂｄ及び前扉Ｄｆとにより構成されている。
【００２０】
なお、図１において、図示斜め左後方向及び斜め右前方向が、それぞれ、当該パチンコ遊技機の左方向及び右方向に対応し、図示上方向及び下方向が、それぞれ、当該パチンコ遊技機の上方向及び下方向に対応し、また、図示斜め左前方向及び斜め右後方向が、それぞれ、当該パチンコ遊技機の前方向及び後方向に対応する。
【００２１】
遊技機本体Ｂｄは、図1或いは図２にて示すごとく、本体枠１０、遊技盤２０、案内レール３０、始動入賞口装置４０ａ、電動チューリップ装置４０ｂ、各普通入賞口装置５０、大入賞口装置６０その他の各種の盤面部品及び球発射装置７０を備えている。
【００２２】
本体枠１０は、その左縁部にて、機枠Ｆｗの左縁部に前後方向に回動可能に支持されており、本体枠１０の中空部には、遊技盤２０が、組み付けられている。
【００２３】
案内レール３０は、内側レール部３１及び外側レール部３２を有しており、これら内側レール部３１及び外側レール部３２は、遊技盤２０の盤面２１の外周部に沿い組み付けられている。当該案内レール３０は、その内周側にて、遊技盤２０の盤面２１上に遊技領域２１ａを形成する。なお、内側レール部３１は、外側レール部３２の内周側に位置している。
【００２４】
しかして、当該案内レール３０は、球発射装置７０の発射レール７０ｂ（後述する）から中継レール（図示しない）発射される遊技球を、内側レール部３１及び外側レール部３２の間に形成される案内通路３３により遊技盤２０の盤面２１の遊技領域２１ａ内に案内する。
【００２５】
始動入賞口装置４０ａは、遊技盤２０の盤面２１の左右方向中央下部に設けられている。これにより、案内レール３０により案内されて遊技盤２０の盤面２１に沿い遊技領域２１ａにて下方へ転動する遊技球が当該始動入賞口装置４０ａの始動入賞口部に入賞すると、当該始動入賞口装置４０ａは、大当たり抽選の機会を与える。
【００２６】
電動チューリップ装置４０ｂは、始動入賞口装置４０ａの直下にて、遊技盤２０の盤面２１に設けられている。これにより、上述のように遊技盤２０の盤面２１に沿い遊技領域２１ａにて下方へ転動する遊技球が、電動チューリップ装置４０ｂの入賞口部に入賞すると、電動チューリップ装置４０ｂは、大当たり抽選の機会を与える。
【００２７】
各普通入賞口装置５０は、始動入賞口装置４０ａの左側にて、遊技盤２０の盤面２１に設けられている。これにより、上述のように遊技盤２０の盤面２１に沿い遊技領域２１ａにて下方へ転動する遊技球が、各普通入賞口装置５０のいずれかの普通入賞口部へ入賞すると、当該いずれかの普通入賞口装置５０は、当たり抽選の機会を与える。
【００２８】
大入賞口装置６０は、始動入賞口装置４０ａの右側にて、遊技盤２０の盤面２１に設けられており、当該大入賞口装置６０は、始動入賞口装置４０ａ或いは電動チューリップ装置４０ｂへの遊技球の入賞に伴う大当たり抽選の結果、大入賞口装置６０は、その大入賞口部を所定の開閉パターンに基づき開閉する。
【００２９】
これにより、上述のように遊技盤２０の盤面２１に沿い遊技領域２１ａにて下方へ転動する遊技球が上記大入賞口部に順次入賞するごとに、多数の遊技球の払い出しが行われる。
【００３０】
球発射装置７０は、図２にて示すごとく、ハンドルＨｄ、発射機構７０ａ及び発射レール７０ｂでもって構成されている。なお、本実施形態では、ハンドルＨｄは、後述のごとく、前扉Ｄｆに設けられている。
【００３１】
発射機構７０ａは、発射レール７０ｂと共に、遊技盤２０の左右方向中間部位の直下にて、本体枠１０の下側壁部１１に設けられている。
【００３２】
発射機構７０ａは、ロータリーソレノイド（図示しない）の一方向回動に基づき槌部材（図示しない）を後退位置から打撃位置へ回動し、また、上記ロータリーソレノイドの他方向回動に基づき上記槌部材を上記打撃位置から上記後退位置へ回動するようになっている。なお、当該発射機構７０ａによれば、発射レール７０ｂの発射基端部（後述する）上に位置する遊技球が、上記槌部材により上記打撃位置にて打撃を加えられる。
【００３３】
発射レール７０ｂは、案内レール３０の案内通路３３に向けて上記中継レールを介し遊技球を発射し得るような傾斜状に、上記中継レールと発射機構７０ａにおける上記槌部材の上記打撃位置との間にて、本体枠１０の下側壁部１１に設けられている。しかして、当該発射レール７０ｂは、その発射基端部上にて、球送り装置Ｕ（後述する）から送られる遊技球を待機させる。なお、発射レール７０ｂは、球送り装置Ｕの後壁１２０ｂ（後述する）に沿い遊技球の発射方向からその逆方向へ下方に向け傾斜するように、後側壁球送り口部１２５（後述する）の下方にて位置する。
【００３４】
本実施形態では、発射機構７０ａは、遊技盤２０にその後側から設けた発射制御盤（図示しない）により、発射プログラムに従う所定のフローチャートに基づき制御される。即ち、発射機構７０ａは、上記槌部材を上記後退位置から上記打撃位置へ或いは上記打撃位置から上記後退位置へ回動させるように上記ロータリーソレノイドを制御する。
【００３５】
この制御においては、球送り装置Ｕから後述のように発射レール７０ｂ上に送られる遊技球毎に、上記後退位置から上記打撃位置に達する上記槌部材により打撃を加えられて、発射レール７０ｂ上に沿い発射される。但し、当該パチンコ遊技機による遊技の終了の際には、発射レール７０ｂ上に送られる遊技球が上記槌部材により打撃を加えられて発射された後の新たな遊技球が発射レール７０ｂ上により送られて当該発射レール７０ｂ上に残存したまま当該遊技を終了する。
【００３６】
前扉Ｄｆは、図１或いは図２にて示すごとく、前枠８０ａと、窓ガラス８０ｂと、球受け皿９０とを備えており、前枠８０ａは、その左縁部にて、遊技機本体Ｂｄの左縁部を介し、機枠Ｆｗの左縁部に前後方向に回動可能に支持されている。
【００３７】
窓ガラス８０ｂは、前枠８０ａの中空部にその裏面側から組み付けられている。このため、遊技者は、前扉Ｄｆの前側から窓ガラス８０ｂを通し遊技機本体Ｂｄの遊技盤２０を視認可能となっている。
【００３８】
球受け皿９０は、前枠８０ａの下部から前方へ突出するように形成されており、この球受け皿９０には、凹状貯留部９１が、上方に向けて開口するように設けられている。
【００３９】
しかして、この球受け皿９０は、遊技機本体Ｂｄの本体枠１０の上部内に設けた球タンク（図示しない）から、遊技球を、本体枠１０内の球通路（図示しない）を通して順次供給されて、凹状貯留部９１内に貯留する。
【００４０】
また、当該球受け皿９０は、その球供給口部（図示しない）を介し、凹状貯留部９１内に貯留した各遊技球を、球供給通路９２（図３０参照）を通り球送り装置Ｕ(図２参照)の球導入口部１１５に供給する。なお、球供給通路９２は、球受け皿９０の上記球供給口部から球導入口部１１５に向けて延出するように、上記球供給口部と球導入口部１１５との間に連結されている。
【００４１】
前扉Ｄｆは、図１或いは図２にて示すごとく、ハンドルＨｄ及び球送り装置Ｕを備えており、ハンドルＨｄは、図1にて示すごとく、前枠８０ａの右下側隅角部にその前面側から回動操作可能に支持されている。
【００４２】
これにより、当該ハンドルＨｄは、その回動角度に応じた打撃力を発射機構７０ａの上記ロータリーソレノイドを介し上記槌部材に与える。このことは、発射機構７０ａは、上記槌部材により、ハンドルＨｄの回動角度に応じた打撃力にて、発射レール７０ｂの発射基端部上に待機する遊技球を打つことを意味する。
【００４３】
球送り装置Ｕは、図２〜４のいずれかから分かるように、前枠８０ａの下部の中間部位にその裏面側から組み付けられており、当該球送り装置Ｕは、送り装置本体１００と、押え部材２００とにより構成されている。
【００４４】
送り装置本体１００は、ケーシングＫを備えており、当該ケーシングＫは、図４〜図６及び図３０のいずれかにて示すごとく、前後両側ケーシング部材１１０、１２０でもって構成されている。
【００４５】
当該前後両側ケーシング部材１１０、１２０のうち、前側ケーシング部材１１０は、図５にて例示するごとく、その右上側隅角部にて、Ｌ字状に切り欠かれて、右上側隅角切り欠き部１１０ａとして形成されている。
【００４６】
一方、後側ケーシング部材１２０も、図５にて例示するごとく、その右上側隅角部にて、右上側隅角切り欠き部１１０ａに対応するようにＬ字状に切り欠かれて、右上側隅角切り欠き部１２０ａとして形成されている。なお、右上側隅角切り欠き部１１０ａ及び右上側隅角切り欠き部１２０ａは、ケーシング１００の右上側隅角切り欠き部を構成する。
【００４７】
また、前側ケーシング部材１１０は、図５或いは図６にて例示するごとく、前壁１１０ｂと、周壁１１０ｃとを備えており、周壁１１０ｃは、前壁１１０ｂの外周縁部から後方へＬ字状に折れ曲がるように延出されている。
【００４８】
一方、後側ケーシング部材１２０は、後壁１２０ｂと、周壁１２０ｃとを備えており、周壁１２０ｃは、後壁１２０ｂの外周縁部から前方へＬ字状に折れ曲がるように延出している。
【００４９】
これにより、当該前後両側ケーシング部材１１０、１２０は、その各周壁１１０ｃ、１２０ｃの延出端部にて、互いに係合されて、ケーシングＫを構成する。なお、ケーシングＫは、前側ケーシング部材１１０の前壁１１０ｂを、前枠８０ａの下部の中間部位に対向させるようにて、後側ケーシング部材１２０の周壁１２０ｃの３つの筒状ボス部Ｂｓ（図７参照）にて、前枠８０ａの下部の中間部位に各ねじ（図示しない）でもって締着することで、前枠８０ａの下部の中間部位に組み付けられている。
【００５０】
前側ケーシング部材１１０において、周壁１１０ｃは、図５〜図７のいずれかにて示すごとく、上側壁部１１１、左側壁部１１２、下側壁部１１３及び右側壁部１１４でもって一体的に構成されており、これら上側壁部１１１、左側壁部１１２、下側壁部１１３及び右側壁部１１４は、前壁１１０ｂの上縁部、左縁部、下縁部及び右縁部から後方へＬ字状に折れ曲がって延出している。
【００５１】
ここで、上側壁部１１１は、図５或いは図６にて例示するごとく、幅広部１１１ａと、幅狭部１１１ｂとからなるもので、幅広部１１１ａは、前壁１１０ｂの上縁部のうち左端側部位から後方へＬ字状に折れ曲がるように延出している（図６参照）。幅狭部１１１ｂは、幅広部１１１ａよりも狭い幅でもって、前壁１１０ｂの上縁部のうち上記左端側部位以外の部位から後方へＬ字状に折れ曲がるように延出している。
【００５２】
左側壁部１１２及び下側壁部１１３は、それぞれ、幅広部１１１ａと同一の幅でもって、前壁１１０ｂの左縁部及び下縁部から後方へＬ字状に折れ曲がるように延出している。また、右側壁部１１４は、前壁１１０ｂの右縁部から後方へＬ字状に折れ曲がるように延出しており、当該右側縁部１１４は、下側壁部１１３の右端部から右上側隅角切り欠き部１１０ａの下壁部の右端部にかけて上方へＬ字状に折れ曲がるように延出されている。
【００５３】
また、前側ケーシング部材１１０は、図５〜図７にて示すごとく、球導入口部１１５を有しており、この球導入口部１１５は、前壁１１０ｂの上部に、その左側寄りにて、横長矩形状にて貫通状に形成されている。
【００５４】
ここで、当該球導入口部１１５は、球供給通路９２内にその延出開口端部９２ａ（図３０参照）から開口するように形成されており、当該球導入口部１１５は、球供給通路９２により案内される遊技球を、延出端開口部９２ａを介し、ケーシングＫ内に導入する。
【００５５】
当該球導入口部１１５は、図７及び図８にて示すごとく、舌片部１１５ａを有しており、この舌片部１１５ａは、球導入口部１１５の右側内縁部１１５ｂの上下方向中間部位から左方へ順次幅狭となるような台形形状にて突出形成されている。
【００５６】
ここで、当該舌片部１１５ａは、図７或いは図８にて例示するごとく、その延出基端部Ａにて、球導入口部１１５の右側内縁部１１５ｂの上下方向中間部位に一体的に形成されており、当該舌片部１１５ａは、その延出基端部Ａから延出先端部Ｂにかけて左方へ延出している。これに伴い、舌片部１１５ａの傾斜状上縁部Ｃ及び傾斜状下縁部Ｄは、延出基端部Ａから延出先端部Ｂにかけて互いに接近するように傾斜している。
【００５７】
また、当該舌片部１１５ａにおいては、傾斜状下縁部Ｄと球導入口部１１５の下側内縁部１１５ｃとの間の間隔（以下、下側間隔ともいう）は、傾斜状上縁部Ｃと球導入口部１１５の上側内縁部１１５ｄとの間の間隔（以下、上側間隔ともいう）よりも狭い。
【００５８】
一方、後側ケーシング１２０において、周壁１２０ｃは、図５、図６、図９及び図１２〜図１４のいずれかにて示すごとく、上側壁部１２１、左側壁部１２２、下側壁部１２３及び右側壁部１２４でもって一体的に構成されており、これら上側壁部１２１、左側壁部１２２、下側壁部１２３及び右側壁部１２４は、後壁１２０ｂの上縁部、左縁部、下縁部及び右縁部から前方へＬ字状に折れ曲がって延出している。
【００５９】
また、上側壁部１２１は、図５にて例示するごとく、左側幅狭部１２１ａ、中側幅広部１２１ｂ、右側幅狭部１２１ｃ、クランク状壁部１２１ｄ及びＬ字状壁部１２１ｅからなるものである。
【００６０】
左側幅狭部１２１ａは、中側幅広部１２１ｂの後側左端部から左側へ延出する一方、右側幅狭部１２１ｃは、中側幅広部１２１ｂの前側右端部から右側へ延出している。
【００６１】
クランク状壁部１２１ｄは、図９にて例示するごとく、立ち下がり壁部Ｅ、連結壁部Ｆ及び立ち下がり壁部Ｇでもって、右側幅狭部１２１ｃの右端部から下方へクランク状に形成されている。ここで、立ち下がり壁部Ｅ及び連結壁部Ｆは、上述した右上側隅角切り欠き部１２０ａを構成する。
【００６２】
Ｌ字状壁部１２１ｅは、図１８にて例示するごとく、立ち下がり壁部Ｈ及び横方向壁部Ｉでもって、Ｌ字状に形成されている。立ち下がり壁部Ｈは、右側幅狭部１２１ｃの後側にて、中側幅広部１２１ｂの右端後側部位から下方へＬ字状に折れ曲がるように延出している。横方向壁部Ｉは、右側幅狭部１２１ｃの後側にて、立ち下がり壁部Ｈの延出端部から右方へＬ字状に折れ曲がるように延出しており、当該横方向壁部Ｉの延出端部は右側壁部１２４の上端部と一体的に形成されている。
【００６３】
左側壁部１２２は、図６にて例示するごとく、両筒状ボス部Ｂｓを有しており、当該両筒状ボス部Ｂｓは、左側壁部１２２の上下方向両端部から左方へ突出するように形成されている。
【００６４】
右側壁部１２４は、筒状ボス部Ｂｓを有しており、当該筒状ボス部Ｂｓは、図１８にて例示するごとく、右側壁部１２４の上端部から右方へ突出するように形成されている。
【００６５】
また、当該後側ケーシング部材１２０は、図９〜図１１及び図１３のいずれかにて示すごとく、球送り口部１２５、案内壁部１２６及び案内壁部１２７を有している。球送り口部１２５は、球導入口部１１５からケーシングＫ内に導入されて、後述のごとく、球案内通路部材１３０及び球送り部材１４０を介し両案内壁部１２６、１２７により案内される遊技球を、発射レール７０ｂ側へ送り出す。
【００６６】
当該球送り口部１２５は、図１１にて拡大して示すごとく、上側縁部１２５ａ、左側縁部１２５ｂ、下側縁部１２５ｃ及び右側縁部１２５ｄでもって、後側ケーシング部材１２０の後壁１２０ｂの右側上部（右上側隅角切り欠き部１２０ａの直下に位置する）に、矩形状にて貫通状に形成されている。
【００６７】
本実施形態では、当該球送り口部１２５は、前扉Ｄｆを遊技機本体Ｂｄに対し閉じたとき、球発射装置７０の発射レール７０ｂの上方に位置するように、後壁１２０ｂに形成されている。
【００６８】
また、案内壁部１２６は、その幅方向には、後側ケーシング部材１２０の右側壁部１２４のうち球送り口部１２５の下側縁部１２５ｃに対する対応部位から左側へ延出するように、また、その長手方向には、右側壁部１２４の前側縁部から球送り口部１２５を通り右側壁部１２４の後側縁部にかけて延出するように、下側縁部１２５ｃに形成されている。
【００６９】
これに伴い、案内壁部１２６は、下側縁部１２５ｃと共に球送り口部１２５の実質的な下側縁部としての役割をも果たす。なお、案内壁部１２６は、突起Ｑの上側面Ｑｂよりも下側に位置するように右側壁部１２４に形成されている。
【００７０】
また、案内壁部１２７は、図１１及び図３０から分かるように、横断面略直角三角形状に形成されており、当該案内壁部１２７は、案内壁部１２６のうち球導入口部１２５よりも前側部位上に沿い右側壁部１２４から左側へ突出するように形成されている。ここで、当該案内壁部１２７は、その前面１２７ａにて、右側壁部１２４の前側縁部から案内壁部１２６の前端部に沿い左側へ突出するように形成されており、当該案内壁部１２７は、その右面にて、右側壁部１２４と一体的に形成されている。
【００７１】
これに伴い、当該案内壁部１２７は、その傾斜状案内面部１２７ｂにて、球送り口部１２５及び球送り部材１４０の右端部の双方に対向するように形成されている。
【００７２】
ここで、当該案内壁部１２７の傾斜状案内面部１２７ｂは、球送り部材１４０からの遊技球を案内壁部１２６の前側部位上に沿い球送り口部１２５へ円滑に案内し得るように、前面１２７ａの突出端部から案内壁部１２７の右面の後端部にかけて緩やかな凹面状に形成されている。なお、傾斜状案内面部１２７ｂは、球送り口部１２５及び球送り部材１４０の側からみて凹面状となるように形成されている。
【００７３】
また、球送り装置Ｕは、図１２〜図１４のいずれかにて示すごとく、球案内通路部材１３０及び球送り部材１４０を備えている。
【００７４】
球案内通路部材１３０は、中空ブロック状（図１３参照）のもので、図１２或いは図１３にて示すごとく、後側ケーシング部材１２０内にて後壁１２０ｂの左側上部に設けられている。
【００７５】
当該球案内通路部材１３０は、その上壁にて球案内通路１３１として形成されており、当該球案内通路１３１は、球導入口部１１５から導入される遊技球の案内を円滑にし得るように、後側ケーシング部材１２０の周壁１２０ｃの左側壁部１２２から右側壁部１２４に向けて順次緩やかに下方へ傾斜している。本実施形態では、球案内通路１３１の全長は、遊技球の外径の２．５倍程度となっている。
【００７６】
また、球案内通路部材１３０は、図１２或いは図３０にて示すごとく、立ち上がり壁部１３２を有しており、当該立ち上がり壁部１３２は、球案内通路１３１の右側前縁部から上方へＬ字状に立ち上がるように形成されている。
【００７７】
ここで、立ち上がり壁部１３２は、前壁１１０ｂの内側にて球導入口部１１５の下側内縁部１１５ｃの左側部位に沿うように形成されており、当該立ち上がり壁部１３２は、その立ち上がり端部１３２ａにて、球導入口部１１５の下側内縁部１１５ｃよりも上側に位置して、左側から右側へ上方に向け緩やかに傾斜するように形成されている。
【００７８】
これにより、立ち上がり壁部１３２の立ち上がり端部１３２ａは、球導入口部１１５の舌片部１１５ａの傾斜状下縁部Ｄとの間にて、前壁１１０ｂの前側から見て、互いにＶ字状に交差して下側Ｖ字状交差部を形成する。
【００７９】
このように立ち上がり壁部１３２の立ち上がり端部１３２ａが、舌片部１１５ａの傾斜状下縁部Ｄに対しＶ字状に交差することで、球供給通路９２から供給される遊技球が糸付き遊技球であるとき、当該糸付き遊技球が、球導入口部１１５を通り球案内通路部材１３０の球案内通路１３１上に供給されて当該球案内通路１３１に沿い案内される。
【００８０】
これに伴い、上記糸付き遊技球の糸が、球導入口部１１５の下側内縁部１１５ｃと舌片部１１５ａの傾斜状下縁部Ｄとの間に入り込むと、当該糸は、傾斜状下縁部Ｄと立ち上がり壁部１３２の立ち上がり端部１３２ａとの交差部位に挟み込まれる。このため、上記糸付き遊技球のケーシングＫ内への進入に制動がかかる。
【００８１】
また、立ち上がり壁部１３２は、図１２にて示すごとく、後側ケーシング部材１２０の上側壁部１２１の前縁中間部位から下方へ立ち下がる立ち下がり壁部１２８に対向している。ここで、当該立ち下がり壁部１２８は、その延出端部１２８ａにて、図７或いは図８から分かるように、左側から右側へ下方に向け緩やかに傾斜するように形成されている。
【００８２】
これにより、立ち下がり壁部１２８は、その延出端部１２８ａにて、球導入口部１１５の舌片部１１５ａの傾斜状上縁部Ｃとの間にて、前壁１１０ｂの前側から見て、互いにＶ字状に交差して上側Ｖ字状交差部を形成する。
【００８３】
このように立ち下がり壁部１２８の延出端部１２８ａが舌片部１１５ａの傾斜状上縁部Ｃに対しＶ字状に交差することで、上述した糸付き遊技球が、立ち下がり壁部１２８の延出端部１２８ａと舌片部１１５ａの傾斜状上縁部Ｃとの間に入り込むと、当該糸は、延出端部１２８ａと傾斜状上縁部Ｃとの交差部位に挟み込まれる。このため、上記糸付き遊技球のケーシングＫ内への進入に制動がかかる。
【００８４】
本実施形態では、球導入口部１１５から導入される遊技球を球案内通路１３１上へ案内するように、後側ケーシング部材１２０の後壁１２０ｂに形成した凹所１２９の底壁が、その左側部位にて、案内壁１２９ａとして、周壁１２０ｃの左側壁部１２２から右側後方へ傾斜状に形成されている。ここで、案内壁１２９は、その斜面１２９ａにて、球導入口部１１５側及び球案内通路１３１の傾斜端部側の双方を臨むように形成されている。
【００８５】
これにより、球導入口部１１５から導入される遊技球は、案内壁１２９ａにより案内されて、前壁１１０ｂ及び後壁１２０ｂとの間にて球案内通路１３１上に沿いさらに案内される。
【００８６】
球送り部材１４０は、図１３及び図１４から分かるように、ピンＰを中心に上下方向に傾動可能となるようにケーシングＫ内に組み付けられている。なお、ピンＰは、図１３及び図１４にて示すごとく、後側ケーシング部材１２０の後壁１２０ｂのうち球送り口部１２５の下方部位（後壁１２０ｂの右側上下方向中間部位）から前方に向けて延出している。
【００８７】
ここで、本実施形態において、図１３は、球送り部材１４０がその下側傾動端に位置することを示し、また、図１４は、球送り部材１４０がその上側傾動端に位置することを示す。
【００８８】
しかして、球送り部材１４０は、上記上側傾動端に位置するとき、球案内通路部材１３０によりその球案内通路１３１に沿い案内される遊技球を球案内通路１３１上に維持する。また、球送り部材１４０は、上記上側傾動端から上記下側傾動端に向けて傾動する過程において、球案内通路１３１上に維持する遊技球を受承して、後述のように案内壁部１２６を介し球送り口部１２５へ送る。
【００８９】
以下、当該球送り部材１４０の構成について詳細に説明する。当該球送り部材１４０は、図１２〜図１７のいずれかにて示すごとく、傾動壁部材Ｍと、湾曲壁部材Ｎとにより構成されている。
【００９０】
傾動壁部材Ｍは、図１２及び図１５〜図１７のいずれかにて示すごとく、傾動基部１５０ａと、中間部１５０ｂと、腕部１５０ｃと、引き込みロッド部１５０ｄとを備えている。
【００９１】
ここで、当該傾動壁部材Ｍは、中間部１５０ｂにて、傾動基部１５０ａの上端部から左側へＬ字状に延出するとともに、腕部１５０ｃにて、当該中間部１５０ｂの延出端部から上側へ略Ｌ字状に延出することで、略クランク状に形成されている。また、引き込みロッド部１５０ｄは、腕部１５０ｃの延出端部の中央部位から後壁１２０ｂに向けて延出されている。
【００９２】
なお、傾動基部１５０ａは、筒１５１を有しており、当該筒１５１は、後壁１２０ｂから延出するピンＰに回動自在に挿入されるように、傾動基部１５０ａの下側中央部から後方へ突出している。
【００９３】
しかして、傾動壁部材Ｍは、図１２にて例示するごとく、傾動基部１５０ａにて、後側ケーシング部材１２０の後壁１２０ｂに球送り口部１２５の下方にてピンＰにより上下方向に傾動可能に支持されている。これに伴い、中間部１５０ｂ及び腕部１５０ｃは、傾動基部１５０ａよりも球案内通路部材１３０側に位置するとともに、引き込みロッド部１５０ｄは、その延出端部にて、後壁１２０ｂに対向する。
【００９４】
本実施形態において、球送り部材１４０が上記上側傾動端に位置するとき球案内通路部材１３０の球案内通路１３１上に維持される遊技球が糸付き遊技球であるとき、球送り部材１４０が上記下側傾動端に向けて傾動する過程において当該糸付き遊技球は球案内通路１３１から球送り部材１４０側へ後述のように移動する。
【００９５】
このとき、引き込みロッド部１５０ｄが糸付き遊技球よりも上側に位置すれば、当該糸付き遊技球が球案内通路１３１から球送り部材１４０側へ移動する過程において、球送り部材１４０の上記上側傾動端から上記下側傾動端への傾動に伴い下方へ傾動する引き込みロッド部１５０ｄが、球案内通路部材１３０と球送り部材１４０との間において当該糸付き遊技球の糸の中間部位を下方へ抑え込むように引き込む役割を果たす。このことは、引き込みロッド部１５０ｄが、当該糸付き遊技球の球送り口部１２５側への移動に制動をかけることを意味する。
【００９６】
湾曲壁部材Ｎは、図１６或いは図１７にて示すごとく、上側湾曲壁１６０ａ、下側湾曲壁１６０ｂ、左側湾曲壁１６０ｃ（図１６にて図示右側に位置する）及び右側平壁１６０ｄ（図１６にて図示左側に位置する）でもって、図１６或いは図１７にて示すような湾曲環形状に形成されており、当該湾曲壁部材Ｎは、左側湾曲壁１６０ｃにて、球案内通路部材１３０に対し球案内通路１３１の傾斜端部側から所定の狭隙（数（ｍｍ）程度の間隙）をおいて対向している（図１２〜図１４参照）。これにより、遊技球が球案内通路部材１３０と球送り部材１４０との間から落下することが未然に防止され得る。
【００９７】
当該湾曲壁部材Ｎにおいて、上側湾曲壁１６０ａは、前側球受け部１６１（左側球受け部１６１ともいう）、凹状壁部１６２、後側球受け部１６３（右側球受け部１６３ともいう）及びＬ字状壁部１６４を有している。
【００９８】
前側球受け部１６１は、壁部１６１ａ及び壁部１６１ｂからなるもので、壁部１６１ａは、左側湾曲壁１６０ｃの上端部に対し小鋭角を張るように当該上端部から斜め右下方へ延出している。また、壁部１６１ｂは、壁部１６１ａに対し大鈍角を張るように当該壁部１６１ａの延出端部から右側へ延出している。なお、壁部１６１ａの壁部１６１ｂの延出基端部からの高さは、約１（ｍｍ）程度である。
【００９９】
これに伴い、前側球受け部１６１は、壁部１６１ａにて、左側湾曲壁１６０ｃの上端部から斜め右下方に向け急勾配にて傾斜するとともに、壁部１６１ｂにて、壁部１６１ａの延出端部から斜め右下方に向け緩勾配にて傾斜する。
【０１００】
これにより、前側球受け部１６１は、球案内通路部材１３０によりその球案内通路１３１に沿い案内される遊技球を、球送り部材１４０の上記上側傾動端から上記下側傾動端への傾動過程において、壁部１６１ａ上に沿い斜め右下方へ案内し、壁部１６１ｂ上に受承する。このとき、遊技球は、壁部１６１ａと突起Ｑ（図１３参照）との間にて、壁部１６１ｂ上に維持される。また、壁部１６１ｂの延出長さは、遊技球の外径の半分程度に相当する長さである。
【０１０１】
なお、球送り部材１４０が上記上側傾動端に位置する場合における壁部１６１ａの先端部（左側湾曲壁１６０ｃの上端部）と後側ケーシング部材１２０の上側壁部１２１との間の間隔は、遊技球の外径の３分の１程度となるように設定されている。従って、球送り部材１４０が上記上側傾動端に位置するときに球案内通路部材１３０の球案内通路１３１上に維持される遊技球が、壁部１６１ａの先端部と後側ケーシング部材１２０の上側壁部１２１との間から球送り口部１２５側へ移動することはない。
【０１０２】
上述した突起Ｑは、図１２〜図１４のいずれにて示すごとく、上側湾曲壁１６０ａの凹状壁部１６２内に収容可能なように、球送り口部１２５の下部と球案内通路部材１３０の上下方向略中央部との間にて、後側ケーシング部材１２０の後壁１２０ｂから前側ケーシング部材１１０の前壁１１０ｂに向けて突出されている。
【０１０３】
突起Ｑは、中空柱状に形成されており、当該突起Ｑは、その左側面Ｑａにて、球送り部材１４０が上記上側傾動端にあるとき当該球送り部材１４０の凹状壁部１６２内にてその左側腕部１６２ｃ（後述する）に沿うように、図１４にて示すごとく、下方から斜め右上方向に向け傾斜状に形成されている。
【０１０４】
また、球送り部材１４０が上記上側傾動端にあるとき、当該突起Ｑは、その上側面Ｑｂにて、前側球受け部１６１の壁部１６１ｂと同一の傾斜面内に位置するように、左上側から斜め右下方に向けて傾斜状に形成されている。
【０１０５】
また、当該突起Ｑは、その右側面Ｑｃにて、上方から左斜め下方に向けて傾斜状に形成されており、当該突起Ｑの右側面Ｑｃは、球送り部材１４０が上記下側傾動端に位置する場合に後側球受け部１６３の外面に沿って位置するようになっている。
【０１０６】
しかして、球送り部材１４０が上記下側傾動端にあるとき、突起Ｑは、その左側面Ｑａにより、前側球受け部１６１の壁部１６１ａとの間にて、遊技球を壁部１６１ｂ上に維持する。また、球送り部材１４０が上記下側傾動端から上記上側傾動端に向け傾動すると、前側球受け部１６１の壁部１６１ｂ上に維持される遊技球は、前側球受け部１６１によりその壁部１６１ａにより突起Ｑの上側面Ｑｂ上に送られる。
【０１０７】
凹状壁部１６２は、その上方から突起Ｑを収容可能なように、左側腕部１６２ａ、連結部１６２ｂ及び右側腕部１６２ｃでもって、Ｕ字状に形成されている。ここで、凹状壁部１６２は、球送り部材１４０の上記下側傾動端から上記上側傾動端への傾動過程において、右側腕部１６２ｃにて突起Ｑの左側面Ｑａに沿うようにして、上方から突起Ｑを収容する（図１４参照）。
【０１０８】
後側球受け部１６３は、凹状壁部１６２の右側腕部１６２ｃの上端部から斜め右上方へ傾斜状に延出するように形成されており、当該後側球受け部１６３は、斜め左側上方へ緩やかに突な湾曲形状に形成されている。
【０１０９】
ここで、球送り部材１４０が上記下側傾動端に位置する場合に後側球受け部１６３は、突起Ｑの右側面Ｑｃに沿って位置するようになっている。また、球送り部材１４０が上記上側傾動端に位置する場合に後側球受け部１６３は、その上側傾斜端部１６３ａにて、突起Ｑの右側面Ｑｃから斜め右側上方へ移動して球送り口部１２５の左側縁部１２５ｂと下側縁部１２５ｃとの交差部の直前位置に達するようになっている。
【０１１０】
これにより、球送り部材１４０が上記下側傾動端から上記上側傾動端にかけて傾動したとき、上述のように突起Ｑの上側面Ｑｂ上に移動した遊技球は、後側球受け部１６３側へ移動して当該後側球受け部１６３の外面にも当接する。従って、球送り部材１４０が上記下側傾動端から上記上側傾動端にかけて傾動したとき遊技球は突起Ｑの上側面Ｑｂと後側球受け部１６３の上面との間に維持される。
【０１１１】
このような状態にて、球送り部材１４０が上記上側傾動端から上記下側傾動端に向け傾動する過程において、後側球受け部１６３がその上側傾斜端部１６３ａにて突起Ｑの右側面Ｑｃに沿って位置すると、遊技球がその自重のもと、突起Ｑの上側面Ｑｂから後側球受け部１６３を介し球送り口部１２５側へ移動する。
【０１１２】
本実施形態においては、後側球受け部１６３の上側傾斜端部１６３ａは、その前側部位１６３ｂにて、当該前側部位１６３ｂ以外の部位（以下、上記後側部位ともいう）よりも、上方へ延出している。ここで、上側傾斜端部１６３ａは、その上記後側部位にて、突起Ｑに対向するとともに、前側部位１６３ｂにて、突起Ｑの延出端部よりも前側に位置する。
【０１１３】
これにより、上述のように突起Ｑにより球送り口部１２５側へ押し出される遊技球は、後側球受け部１６３の上記後側部位を超えて球送り口部１２５側へ押し出される。
【０１１４】
このとき、前側部位１６３ｂは、突起Ｑの延出端部よりも前側に位置して、上記後側部位よりも上方へ突出しているため、遊技球は、上記後側部位から前側へ移動しないように前側部位１６３ｂにより規制される。従って、突起Ｑにより球送り口部１２５側へ押し出される遊技球は、後側球受け部１６３の上記後側部位を介し確実に球送り口部１２５側へ押し出される。
【０１１５】
Ｌ字状壁部１６４は、後側球受け部１６３の延出上端部から下方へ延出する壁部１６４ａと、当該壁部１６４ａの延出端部から右方へＬ字状に折れ曲がって延出する壁部１６４ｂとにより構成されている。
【０１１６】
下側湾曲壁１６０ｂは、その左側端部にて、左側湾曲壁１６０ｃを介し、上側湾曲壁１６０ａにおける前側球受け部１６１の壁部１６１ａの下方への延出基端部と一体的となるように形成されている。また、下側湾曲壁１６０ｂは、その右側端部にて、右側平壁１６０ｄを介し上側湾曲壁１６０ａにおけるＬ字状壁部１６４の壁部１６４ｂの延出端部と一体的となるように形成されている。
【０１１７】
左側湾曲壁１６０ｃは、凸状湾曲壁部１６５と、横Ｕ字状湾曲壁部１６６とを有している。凸状湾曲壁部１６５は、球案内通路部材１３０の凹状右側面１３３に沿うように、当該凹状右側面１３３の凹方向に向けて凸な湾曲形状にて形成されており、当該凸状湾曲壁部１６５は、その上端部にて、前側球受け部１６１の壁部１６１ａの下方への延出基端部と一体的に形成されている。
【０１１８】
横Ｕ字状湾曲壁部１６６は、凸状湾曲壁部１６５の下端部と下側湾曲壁１６０ｂの左端部との間に左側に向け開口するように横Ｕ字状に形成されている。
【０１１９】
また、球送り装置Ｕは、図１８、図３１或いは図３２にて示すごとく、金属板１７０を有しており、当該金属板１７０は、刃の形成材料、例えば、鋼薄板材料でもって、長方形状に形成されている。
【０１２０】
金属板１７０は、図１８或いは図１９にて示すごとく、取り付け穴部１７１及び位置決め穴部１７２を形成してなるもので、当該金属板１７０は、後側ケーシング部材１２０の後壁１２０ｂのうちの右上側隅角切り欠き部１２０ａの立ち下がり壁部Ｅ及び球送り穴部１２５の双方の左側壁部Ｊ(図１８参照)にその後側から組み付けられている。
【０１２１】
具体的には、金属板１７０は、その取り付け穴部１７１にて、左側壁部Ｊから後方へ突出する筒状取り付けロッドＪ１に嵌装されるとともに、位置決め穴部１７２にて、取り付けロッドＪ１の直上にて左側壁部Ｊから後方へ突出する位置決めピンＪ２に嵌装されている。
【０１２２】
これにより、金属板１７０は、取り付けロッドＪ１を軸として、位置決めピンＪ２により位置決めされている。なお、左側壁部Ｊは、その上部にて、後壁１２０ｂの上側壁部１２１の右側幅狭部１２１ｃとの間に空所Ｊ３を形成している。
【０１２３】
当該金属板１７０は、図１１、図１８、図１９、図２３及び図２４のいずれかにて示すごとく、刃１７３を有しており、当該刃１７３は、金属板１７０のうち球送り穴部１２５の矩形凹状切り欠き部１２５ｅ（後述する）の中空部の内側領域にする対応板部位を細幅状に後方へ（発射レール７０ｂ側へ）切り起こすことで、形成されている。
【０１２４】
このことは、刃１７３が、その切り起こし後に形成される金属板１７０の右縁部１７４の凹所１７４ａと共に、球送り穴部１２５の矩形凹状切り欠き部１２５ｅの上記中空部の上記内側領域を臨むように、切り欠き部１２５ｅの上記中空部の形状よりも小さな形状でもって切り起こし形成されていることを意味する。
【０１２５】
ここで、当該刃１７３は、金属板１７０の凹所１７４ａから後側に向け凹所１７４ａの底部から傾斜状に延出するように、形成されており、当該刃１７３は、その延出端部１７３ｄにて、切り欠き部１２５ｅの開口端部側の縁部と共に、切り欠き部の前記中空部内に位置する。
【０１２６】
本実施形態において、刃１７３の凹所１７４ａに対する傾斜角は、刃１７３の上縁部１７３ｂ或いは下縁部１７３ｃとこれに対する凹所１７４ａの対応内縁部との間に形成される下側或いは上側の楔状係合溝部内に糸をしっかりと係合させ得るように、所定の小鋭角に設定されている。
【０１２７】
上述した矩形凹状切り欠き部１２５ｅは、図１１にて拡大して示すごとく、後壁１２０ｂの左側壁部Ｊにその右側縁部（球送り穴部１２５の左側縁部１２５ｂに対応）の上下方向中間部位に球送り穴部１２５の内部から左側に向け矩形凹状に切り欠き形成されている。
【０１２８】
このような矩形凹状切り欠き部１２５ｅの切り欠き形成のもと、当該金属板１７０は、刃１７３にて矩形凹状切り欠き部１２５ｅの中空部の内側領域に対応するように、後壁１２０ｂの左側壁部Ｊに取り付けられている。
【０１２９】
これに伴い、刃１７３は、その切り起こし基端部１７３ａを、矩形凹状切り欠き部１２５ｅ内にてその底部Ｒよりも右側に位置させている。また、当該刃１７３は、その上縁部１７３ｂ及び下縁部１７３ｃを、矩形凹状切り欠き部１２５ｅ内に位置させており、上縁部１７３ｂは、矩形凹状切り欠き部１２５ｅの上側縁部Ｓａよりも下側に位置するととともに、下縁部１７３ｃは、矩形凹状切り欠き部１２５ｅの下縁部Ｓｂよりも上側に位置する。なお、底部Ｒは、矩形凹状切り欠き部１２５ｅの切り欠き方向端側に位置する内縁部に相当する。
【０１３０】
このことは、刃１７３は、その面方向外形形状において、矩形凹状切り欠き部１２５ｅの厚さ方向開口面形状（中空部の形状）よりも小さいこと、換言すれば、金属板１７０の右縁部１７４の凹所１７４ａが有する右縁部１７４の厚さ方向開口面形状は、矩形凹状切り欠き部１２５ｅの厚さ方向開口面形状よりも小さいことを意味する。
【０１３１】
また、金属板１７０の右縁部１７４は、凹所１７４ａの面方向開口端の下側部位１７４ｂから上側部位１７４ｃにかけて図２４にて示すごとく同一傾斜線上に位置するように、切り欠き形成されている。
【０１３２】
これにあわせて、刃１７３は、その先端部１７３ｄにて、凹所１７４ａの面方向開口端の下側部位１７４ｂ及び上側部位１７４ｃと共に同一傾斜線上に位置するように、傾斜状に形成されている。
【０１３３】
また、刃１７３の先端部１７３ｄが当該刃１７３の下縁部１７３ｃに対する法線方向との間になす角度は、糸の刃１７３との係合を強く確保し得る所定の小鋭角となっている。
【０１３４】
駆動機構１８０は、図１２〜図１４のいずれかにて示すごとく、後側ケーシング部材１２０内に配設されており、当該駆動機構１８０は、機構本体１８０ａと傾動レバー１８０ｂとにより構成されている。
【０１３５】
機構本体１８０ａは、後側ケーシング部材１２０内にて、下側壁部１２３の左側中間部位上に立設されており、当該機構本体１８０ａは、鉄心１８１と、当該鉄心１８１に巻回してなるソレノイド１８２とを筐体１８３内に備えている。しかして、機構本体１８０ａにおいては、鉄心１８１が、ソレノイド１８２の励磁により磁力を発生する。一方、鉄心１８１は、ソレノイド１８２の励磁の停止により磁力を消滅させる。
【０１３６】
傾動レバー１８０ｂは、その基端部１８４にて、機構本体１８０ａの筐体１８３の左上側隅角部に上下方向に傾動可能に支持されており、当該傾動レバー１８０ｂの長手方向中間部位１８５は、鉄心１８１の上端部１８１ａに対向している。また、傾動レバー１８０ｂは、その先端部１８６にて、球送り部材１４０の湾曲壁部材Ｎの横Ｕ字状湾曲壁部１６６内に介装されている。
【０１３７】
しかして、当該駆動機構１８０においては、傾動レバー１８０ｂは、鉄心１８１の消磁のもと、基端部１８４にて、図示しないコイルスプリングでもって、上方に向け付勢されることで、その基端部１８４を基準に上方へ傾動した状態に維持される。このことは、球送り部材１４０が、その横Ｕ字状湾曲壁部１６６にて、傾動レバー１８０ｂの先端部１８６により上方へ押動されて傾動して上記上側傾動端に維持されることを意味する。
【０１３８】
また、傾動レバー１８０ｂは、鉄心１８１の励磁に伴い、上記コイルスプリングの付勢力に抗して吸着されることで、その基端部１８４を基準に下方へ傾動した状態に維持される。このことは、球送り部材１４０が、その横Ｕ字状湾曲壁部１６６にて、傾動レバー１８０ｂの先端部１８６により下方へ引っ張られて傾動して上記下側傾動端に維持されることを意味する。
【０１３９】
本実施形態では、駆動機構１８０は、遊技盤２０にその後側から配設してなる制御盤（図示しない）により球送り制御プログラムに従う所定のフローチャートに基づき制御される。即ち、駆動機構１８０は、機構本体１８０ａのソレノイドにて、球送り部材１４０を上記下側傾動端から上記上側傾動端或いは当該上側傾動端から上記下側傾動端へ傾動させるように制御される。
【０１４０】
当該制御において、球送り装置Ｕが、球送り部材１４０を上記下側傾動端から上記上側傾動端へ或いは当該上側傾動端から上記下側傾動端へ傾動させて、遊技球を所定の時間的間隔にて発射レール７０ｂ上に送るように、駆動機構１８０が、上記ソレノイドの励磁或いは消磁により傾動レバー１８０ｂを鉄心１８１の上端部１８１ａに吸引させ或いは当該上端部１８１ａから解離させる。
【０１４１】
また、当該制御において、当該パチンコ遊技機による遊技の終了の際には、発射レール７０ｂ上に送られる遊技球が発射機構７０ａの上記槌部材により打撃を加えられて発射された後の新たな遊技球が発射レール７０ｂ上に球送り装置Ｕから送られることなく、当該遊技を終了するように駆動機構１８０の制御がなされる。
【０１４２】
なお、これとは異なり、当該パチンコ遊技機による遊技の終了の際には、発射レール７０ｂ上に送られる遊技球が上記槌部材により打撃を加えられて発射された後の新たな遊技球が発射レール７０ｂ上に球送り装置Ｕから送られて残存したまま、当該遊技を終了するように駆動機構１８０を制御するようにしてもよい。
【０１４３】
押え部材２００は、図１８から分かるように、金属板１７０を介し後側ケーシング部材１２０の後壁１２０ｂの左側壁部Ｊにその後側から組み付けられている。
【０１４４】
当該押え部材２００は、図１８或いは図２０にて示すごとく、筒２０１と、３つの矩形状枠体２０２〜２０４と、底板部材２０５とを備えている。
【０１４５】
筒２０１は、その基端部にて、底板部材２０５の底板本体２０５ａ（後述する）の中央部と一体的に形成されており、当該筒２０１は、その基端部から底板部材２０５の底板本体２０５ａに直角に延出している。
【０１４６】
しかして、押え部材２００は、その筒２０１にて、底板部材２０５及び金属板１７０を介し左側壁部Ｊの筒状取り付けロッドＪ１に同軸的に嵌装されて、ねじ２０１ａを筒状取り付けロッドＪ１の先端部に形成した雌ねじ部に締着することで、金属板１７０とともに後壁１２０ｂの左側壁部Ｊにその後側から組み付けられている。
【０１４７】
各矩形状枠体２０２〜２０４は、底板部材２０５の底板本体２０５ａから筒２０１の軸に沿い後方へ矩形状に延出するように形成されている。
【０１４８】
ここで、矩形状枠体２０２は、両矩形状枠体２０３、２０４とは筒２０１の反対側に位置するように形成されており、当該矩形状枠体２０２は、矩形状枠体２０４よりも大きな矩形形状を有する。また、矩形状枠体２０３は、矩形状枠体２０４よりも小さな矩形形状を有するもので、当該矩形状枠体２０３は、矩形枠体２０４の左側に位置するように形成されている。ここで、矩形状枠体２０３は、筒２０１の左側にて、矩形枠体２０２との間に空間部２０６を形成するように、扁平矩形状に形成されている。
【０１４９】
底板部材２０５は、底板本体２０５ａと、押え板２０５ｂを有しており、底板本体２０５ａは、その右縁部にて、金属板１７０の刃１７３の切り起こし基端部１７３ａ及びその延長線上に位置するように金属板１７０を介し後壁１２０ｂの左側壁部Ｊに組み付けられている。
【０１５０】
押え板２０５ｂは、上述した両矩形枠体２０２、２０３の間の空間部２０６に対向するように、底板本体２０５ａの右縁部から刃１７３と同一の幅を有するように、右方へ延出している。
【０１５１】
ここで、当該押え板２０５ａは、その裏面（前側面）にて、図２０或いは図２１にて示すごとく、底板本体２０５ａの右縁部に対する延出基端部から空間部２０６側へ傾斜状に形成されており、当該押え板２０５ｂは、その裏面２０５ｃ（前側面）にて、金属板１７０の刃１７３の表面（後側面）に沿い、当該刃１７３を、後壁１２０ｂの左側壁部Ｊの矩形凹状切り欠き部１２５ｅに向け押えこむように当接している。換言すれば、押え板２０５ｂは、刃１７３をその後側から重畳的に重なるようにして当該刃１７３を適正な傾斜角度に維持する。
【０１５２】
本実施形態では、押え板２０５ｂが、その裏面にて、刃１７３を適正な傾斜角度に維持し得るように、金属板１７０の刃１７３の矩形凹状切り欠き部１２５ｅに対する切り起こし傾斜角度が、押え板２０５ａの裏面の底板本体２０５ａの裏面に対する傾斜角度よりも幾分大きく設定されている。但し、刃１７３は、その先端部１７３ｄにて、押え板２０５ａの延出端部よりも左側に突出している。
【０１５３】
以上のように構成した本実施形態において、当該パチンコ遊技機が、前扉Ｄｆを遊技機本体Ｂｄに閉じた状態にて、遊技状態におかれるものとする。球送り装置Ｕにおいては、駆動機構１８０の傾動レバー１８０ｂが、ソレノイド１８２の消磁のもと、上記コイルスプリングにより付勢されて、鉄心１８１から解離して、上方へ傾動し、球送り部材１４０が上記上側傾動端に位置する（図１４参照）。このとき、突起Ｑは、球送り部材１４０の凹状壁部１６２内に収容されている。なお、現段階では、遊技球は、図１４にて示すごとく、球送り装置Ｕ内には導入されていないものとする。
【０１５４】
このような段階において、複数の遊技球が上記球タンクから本体枠１０内の球通路を介し球受け皿９０の凹状貯留部９１内に貯留されると、これら遊技球は、図２９或いは図３０にて示すごとく、順次、球受け皿９０の凹状貯留部９１から当該球受け皿９０の球供給口部を介し球供給通路９２（図３０参照）により球送り装置Ｕ(図２参照)の球導入口部１１５に向けて供給される。
【０１５５】
しかして、このように供給される複数の遊技球のうちの遊技球Ｘ（図２９参照）が球送り装置ＵのケーシングＫ内に球導入口部１１５から導入されると、当該遊技球Ｘは、案内壁１２９ａにより球案内通路部材１３０の球案内通路１３１上に案内される。
【０１５６】
これに伴い、当該遊技球Ｘは、球案内通路１３１上に沿い球送り部材１４０に向けて案内される。ここで、球案内通路１３１が、後側ケーシング部材１２０の周壁１２０ｃの左側壁部１２２から右側壁部１２４に向けて順次緩やかに下方へ傾斜しているため、当該遊技球Ｘは、球案内通路１３１上に沿い球送り部材１４０に向けて円滑に案内され得る。
【０１５７】
ここで、球送り部材１４０は、上述したごとく、上記上側傾動端に位置している（図１４参照）、このため、上述のように案内される遊技球Ｘが球案内通路１３１の傾斜端部に達したとき、当該遊技球Ｘは、図２５にて示すごとく、球送り部材１４０の左側湾曲壁１６０ｃの上端部に当接する。
【０１５８】
これにより、当該遊技球Ｘは、左側湾曲壁１６０ｃによりその上端部でもって球案内通路１３１の傾斜端部上に維持される。このとき、球送り部材１４０が上記上側傾動端に位置する場合における左側湾曲壁１６０ｃの上端部と後側ケーシング部材１２０の上側壁部１２１との間の間隔は、上述したごとく、遊技球の外径の３分の１程度となるように設定されているから、遊技球Ｘが左側湾曲壁１６０ｃの上端部と後側ケーシング部材１２０の上側壁部１２１との間を通り球送り口部１２５側へ移動することはない。
【０１５９】
また、遊技球Ｘに後続する遊技球Ｘ１（図２９参照）が、ケーシングＫ内に球導入口部１１５から導入されると、当該遊技球Ｘ１は、遊技球Ｘと同様に、案内壁１２９ａにより球案内通路部材１３０の球案内通路１３１上に案内される。これに伴い、当該遊技球Ｘ１は、遊技球Ｘと同様に、球案内通路１３１上に沿い球送り部材１４０に向けて案内される。
【０１６０】
このとき、遊技球Ｘは、上述のごとく、球送り部材１４０の左側湾曲壁１６０ｃによりその上端部でもって球案内通路１３１の傾斜端部上に維持されているため、遊技球Ｘ１は、当該遊技球Ｘに当接して球案内通路部材１３０の球案内通路１３１上に遊技球Ｘとともに維持される（図２５参照）。
【０１６１】
ここで、遊技球Ｘ１に後続する遊技球Ｘ２（図２９参照）が球導入口部１１５内に到達しても、球案内通路１３１の全長が、遊技球の外径の２．５倍程度しかないため、遊技球Ｘ２は、遊技球Ｘ１に当接して、球案内通路１３１上に達することなく、球導入口部１１５内に維持される。
【０１６２】
然る後、駆動機構１８０において、傾動レバー１８０ｂが、鉄心１８１の励磁に伴い、上記コイルスプリングの付勢力に抗して吸着されて、下方へ傾動すると、球送り部材１４０が、その横Ｕ字状湾曲壁部１６６にて、傾動レバー１８０ｂの先端部１８６により下方へ引っ張られて傾動して上記下側傾動端に向けて傾動する。
【０１６３】
これに伴い、球送り部材１４０の左側湾曲壁１６０ｃが下方へ移動するため、上述のように球案内通路１３１上に維持されている遊技球Ｘが、左側湾曲壁１６０ｃの上端部との当接から解放される。すると、球案内通路１３１が、上述のごとく、後側ケーシング部材１２０の周壁１２０ｃの左側壁部１２２から右側壁部１２４に向けて順次緩やかに下方へ傾斜しているため、当該遊技球Ｘは、その自重のもとに、球送り部材１４０の前側球受け部１６１上に転動して受承される。
【０１６４】
具体的には、遊技球Ｘは、前側球受け部１６１の壁部１６１ａに沿い転動して壁部１６１ｂ上に受承される。このとき、突起Ｑが、上述した球送り部材１４０の上記下方傾動端への傾動に伴い、球送り部材１４０の凹状壁部１６２から上方へ脱出するとともに、遊技球Ｘは、球送り部材１４０の上記下方傾動端への傾動に伴い、前側球受け部１６１とともに下方へ移動しているため、当該遊技球Ｘは、前側球受け部１６１の壁部１６１ａと突起Ｑとの間にて、前側球受け部１６１の壁部１６１ｂ上に維持される（図２６参照）。
【０１６５】
また、遊技球Ｘ１は、上述のような遊技球Ｘの球送り部材１４０の前側球受け部１６１への転動に伴い、球案内通路１３１に沿いその傾斜端部側へ移動する。このとき、遊技球Ｘが、上述のごとく、前側球受け部１６１の壁部１６１ｂ上に維持されているため、遊技球Ｘ１は、遊技球Ｘに当接した状態で、球案内通路１３１の傾斜端部上に維持される（図２６参照）。
【０１６６】
また、上述のように遊技球Ｘ１が球案内通路１３１の傾斜端部上に移動するのに伴い、上述のように球導入口部１１５内に維持されている遊技球Ｘ２が、遊技球Ｘ１と同様にケーシングＫ内に導入されて球案内通路１３１により案内されて遊技球Ｘ１に向けて案内される（図２６参照）。なお、このとき、遊技球Ｘ１が、上述のごとく、球案内通路１３１の傾斜端部上に維持されているため、遊技球Ｘ２は、遊技球Ｘ１に当接した状態で当該遊技球Ｘ１とともに球案内通路１３１上に維持される。
【０１６７】
然る後、駆動機構１８０において、傾動レバー１８０ｂが、鉄心１８１の消磁に伴い、上記コイルスプリングの付勢力のもとに、鉄心１８１から解離されて、上方へ傾動すると、球送り部材１４０が、その横Ｕ字状湾曲壁部１６６にて、傾動レバー１８０ｂの先端部１８６により上方へ押し上げられて上記上側傾動端に向けて傾動する。
【０１６８】
このため、球送り部材１４０の左側湾曲壁１６０ｃが、上方へ移動して、その上端部にて、両遊技球Ｘ及びＸ１の間に割り込むように進入する。これに伴い、遊技球Ｘ１は、左側湾曲壁１６０ｃによりその上端部でもって球案内通路１３１の傾動端部上に維持される（図２７参照）。このとき、遊技球Ｘ２は、遊技球Ｘ１に隣接して球案内通路１３１上に維持される。
【０１６９】
また、上述のように球送り部材１４０が上記上側傾動端に向けて傾動するにつれて、球送り部材１４０の前側球受け部１６１が上方へ移動するため、突起Ｑが、球送り部材１４０の凹状壁部１６２内に収容される。このとき、前側球受け部１６１の壁部１６１ｂが、その上面にて、突起Ｑの上側面Ｑｂと同一の傾斜面内に位置するようになる。
【０１７０】
これに伴い、前側球受け部１６１の壁部１６１ｂ上に維持されている遊技球Ｘ（図２６参照）が、図２７或いは図３０にて示すごとく、その自重のもとに、壁部１６１ｂの上面から突起Ｑの上側面Ｑｂに向けて転動して球送り部材１４０の後側球受け部１６３にその左側から当接する。このとき、後側球受け部１６３は、その傾斜面にて、突起Ｑの上側面Ｑｂ側に向いているため、遊技球Ｘは、図２７にて示すごとく、突起Ｑの上側面Ｑｂの右端部と後側球受け部１６３の傾斜面との間に維持される。
【０１７１】
このような状態において、駆動機構１８０の傾動レバー１８０ｂが、再び、鉄心１８１の励磁に伴い、上記コイルスプリングの付勢力に抗して吸引されると、球送り部材１４０が、その横Ｕ字状湾曲壁部１６６にて、傾動レバー１８０ｂの先端部１８６により下方へ引っ張られて傾動して上記下側傾動端に向けて傾動する。
【０１７２】
これに伴い、球送り部材１４０の左側湾曲壁１６０ｃが下方へ移動するため、上述のように球案内通路１３１上に維持されている遊技球Ｘ１が、左側湾曲壁１６０ｃの上端部との当接から解放される。すると、当該遊技球Ｘ１は、その自重のもとに、遊技球Ｘと同様に、その自重のもとに、球送り部材１４０の前側球受け部１６１の壁部１６１ａに沿い転動して壁部１６１ｂ上に受承される。
【０１７３】
このとき、突起Ｑが、上述した球送り部材１４０の上記下方傾動端への傾動に伴い、球送り部材１４０の凹状壁部１６２から上方へ脱出するとともに、遊技球Ｘは、球送り部材１４０の上記下方傾動端への傾動に伴い、前側球受け部１６１とともに下方へ移動しているため、当該遊技球Ｘ１は、前側球受け部１６１の壁部１６１ａと突起Ｑとの間にて、前側球受け部１６１の壁部１６１ｂ上に維持される。
【０１７４】
また、遊技球Ｘ２は、上述のような遊技球Ｘ１の球送り部材１４０の前側球受け部１６１への転動に伴い、球案内通路１３１に沿いその傾斜端部側へ移動する。このとき、遊技球Ｘ１が、上述のごとく、前側球受け部１６１の壁部１６１ｂ上に維持されているため、遊技球Ｘ２は、遊技球Ｘ１に当接した状態で、球案内通路１３１の傾斜端部上に維持される。
【０１７５】
また、上述のように球送り部材１４０が上記下側可動端へ傾動するのに伴い、後側球受け部１６３が、突起Ｑの右側面Ｑｃに沿い下方へ移動する。このため、上述のように突起Ｑの上側面Ｑｂと後側球受け部１６３との間に維持されている遊技球Ｘが、その自重のもと、上述した後側球受け部１６３の下方への移動にあわせて、突起Ｑの上側面Ｑｂから後側球受け部１６３の上側傾斜端部１６３ａを介し案内壁部１２６の上面上に移動する。このとき、上述のごとく、後側球受け部１６３の上側傾斜端部１６３ａが、その前側部位１６３ｂにて、上記後側部位よりも、上方へ延出しているため、遊技球Ｘは、球送り口部１２５側へ近づくように案内壁部１２６の上面上に移動する。
【０１７６】
そして、このように案内壁部１２６の上面に移動した遊技球Ｘは、案内壁部１２７によりその傾斜状案内面部１２７ｂに沿い球送り口部１２５内に案内される。ここで、傾斜状案内面部１２７ｂは、上述したごとく、球送り部材１４０からの遊技球を案内壁部１２６の前側部位上に沿い球送り口部１２５へ円滑に案内し得るように、前面１２７ａの突出端部から案内壁部１２７の右面の後端部にかけて緩やかな凹面状に形成されているから、遊技球Ｘは、球送り口部１２５内に円滑に案内され得る。
【０１７７】
然る後、このように案内される遊技球Ｘは、球送り口部１２５から発射レール７０ｂ上に送り出される。これにより、当該遊技球Ｘは、発射レール７０ｂの発射基端部上に維持される。
【０１７８】
このような状態において、ハンドルＨｄが回動操作されていれば、球発射装置７０において、発射機構７０ａは、上記ロータリーソレノイドの他方向回動に基づき上記打撃位置から上記後退位置にある上記槌部材を、上記ロータリーソレノイドの一方向回動に基づき上記打撃位置へ回動することにより、発射レール７０ｂの発射基端部上に維持されている遊技球Ｘに打撃を加える。
【０１７９】
これに伴い、このように打撃を加えられた遊技球Ｘは、発射レール７０ｂに沿い発射されて、案内レール３０の案内通路３３を通り、遊技盤２０の盤面２１に沿い遊技領域２１ａ内に案内される。このように案内された遊技球Ｘは、遊技盤２０の盤面２１に沿い下方へ始動入賞口装置４０ａ、電動チューリップ装置４０ｂ、普通入賞口装置５０や大入賞口装置６０に向けて転動していく。
【０１８０】
従って、当該遊技球Ｘが、例えば、始動入賞口装置４０ａや電動チューリップ装置４０ｂに入賞すれば、大当たり抽選の機会が発生する。この抽選の結果、例えば、大当たりになれば、大入賞口装置６０が開閉駆動されて、多数の遊技球の払い出しが可能となる。
【０１８１】
以上のように、本実施形態では、球送り装置Ｕは次のような各段階を経て球導入口部１１５から球送り口部１２５にかけて球送り作動を行う。
（１）初期段階
球送り部材１４０が、駆動機構１８０により上記上側傾動端に維持されるとともに、遊技球が、図１４にて示すごとく、未だケーシングＫ内には導入されていないとき、遊技球Ｘが、球供給通路９２から球導入口部１１５を通りケーシングＫ内に導入されると、当該遊技球Ｘは、上述のごとく、案内壁１２９ａ及び球案内通路部材１３０の球案内通路１３１により案内されて、球送り部材１４０の左側湾曲壁１６０ｃによりその上端部にて球案内通路１３１の傾斜端部上に維持される（図２５参照）。このとき、遊技球Ｘに後続する遊技球Ｘ１も、遊技球Ｘと同様に球供給通路９２から球導入口部１１５を通りケーシングＫ内に導入されて、遊技球Ｘとともに球案内通路１３１上に維持される（図２５参照）。
（２）第１段階
上記初期段階にて上記上側傾動端に位置している球送り部材１４０が、駆動機構１８０により上記下側傾動端に向け傾動されると、上述のように上記初期段階にて球案内通路１３１の傾斜端部上に維持されている遊技球Ｘが、上述のごとく、球送り部材１４０の上記下側傾動端への傾動に伴い当該球送り部材１４０の左側湾曲壁１６０ｃから解放されて当該球送り部材１４０の前側球受け部１６１の壁部１６１ｂ上に移動して受承されて壁部１６１ａと突起Ｑとにより維持される（図２６参照）。
（３）第２段階
上記第１段階にて上記下側傾動端に傾動した球送り部材１４０が、再び、駆動機構１８０により上記上側傾動端に向けて傾動されると、上記第１段階にて球送り部材１４０の前側球受け部１６１の壁部１６１ｂ上に壁部１６１ａと突起Ｑとにより維持されている遊技球Ｘが、突起Ｑの凹状壁部１６２内への収容に伴い、壁部１６１ａ上から突起Ｑの上側面Ｑｂに沿い移動して当該突起Ｑと球送り部材１４０の後側球受け部１６３側へ移動して突起Ｑと後側球受け部１６３との間に維持される（図２７参照）。
【０１８２】
また、上述のように上記下側傾動端に傾動した球送り部材１４０が、再び、駆動機構１８０により上記上側傾動端に向けて傾動されると、上述のごとく案内通路壁３１上に維持されている遊技球Ｘ１が、球送り部材１４０の左側湾曲壁１６０ｃによりその上端部にて当該案内通路壁３１の傾斜端部上に維持される（図２７参照）。このような遊技球Ｘ１の案内通路壁３１の傾斜端部上への維持は、上述した遊技球Ｘの壁部１６１ａから突起Ｑと球送り部材１４０の後側球受け部１６３との間への移動に合せてなされる。
（４）第３段階
第２段階にて上記上側傾動端へ傾動した球送り部材１４０が、駆動機構１８０による駆動のもと、再び、上記下側傾動端に向けて傾動されると、上述のように第２段階にて突起Ｑと後側球受け部１６３との間に維持されている遊技球Ｘが、その自重のもとに、球送り部材１４０の再度の上記下側傾動端への傾動に伴う後側球受け部１６３の下方への移動に応じて、上述のごとく突起Ｑの上側面Ｑｂから後側球受け部１６３の上側傾斜端部１６３ａを介して球送り口部１２５側へ近づくように案内壁部１２６の上面に移動して案内壁部１２７によりその傾斜状案内面部１２７ｂに沿い球送り口部１２５内に案内される（図２８参照）。
【０１８３】
また、上述のように球送り部材１４０が、再び、上記下側傾動端に向けて傾動されると、上述のように上記第２段階にて球案内通路１３１の傾斜端部上に維持されている遊技球Ｘ１が、上述のごとく、球送り部材１４０の上記下側傾動端への傾動に伴い当該球送り部材１４０の左側湾曲壁１６０ｃから解放されて当該球送り部材１４０の前側球受け部１６１の壁部１６１ｂ上に移動して壁部１６１ａと突起Ｑとにより維持される（図２８参照）。このような遊技球Ｘ１の壁部１６１ａと突起Ｑとによる維持は、上述した遊技球Ｘの突起Ｑと後側球受け部１６３との間から球送り口部１２５への案内に合せてなされる。
【０１８４】
以上のように、本実施形態では、上述のように構成してなる球送り装置Ｕにおいて、上述のように球送り部材１４０の上記初期段階にて球案内通路１３１の傾斜端部に維持されている遊技球Ｘが、球送り部材１４０の上記初期段階から上記第１段階への移行、当該第１段階から上記第２段階への移行及び当該第２段階から上記第３段階への移行という３段階の移行のもとに、球送り部材１４０の前側球受け部１６１、突起Ｑ及び後側球受け部１６３を介し、両案内壁部１２６、１２７により球送り口部１２５内に円滑に安定して案内され得る。
【０１８５】
また、球送り部材１４０は、前側球受け部１６１の壁部１６１ａ（左側湾曲壁部１６０ｃ）の上端部にて、傾動基部１５０ａが上方へ傾動したときに球案内通路１３１上の遊技球と前側球受け部１６１の受承遊技球とを相互に分離すべく、上方へ楔状に突出するように形成されている。
【０１８６】
従って、前側球受け部１６１の受承遊技球に後続する遊技球が球案内通路１３１上に存在していても、当該後続する遊技球が、傾動基部１５０ａの上方への傾動の際に、前側球受け部１６１の壁部１６１ａの上端部により前側球受け部１６１の受承遊技球から分離される。このため、球送り部材１４０の球送りにおいては複数の遊技球が連続して行われることなく、１個ずつなされ得る。
【０１８７】
また、ケーシングＫは、後側ケーシング部材１２０の右側壁部１２４に対し、両案内壁部１２６，１２７を上記構成にて設けて、球送り部材１４０の後側球受け部１６３へ移動する遊技球を、案内壁部１２６の上面部に沿い案内壁部１２７によりその傾斜状案内面部１２７ｂでもって球送り口部１２５内に円滑に案内し得る。
【０１８８】
また、上述のように、球案内通路１３１の傾斜端部に維持されている遊技球Ｘが球送り口部１２５内に案内されるにあたり、球送り部材１４０の上記第１段階から上記第３段階への移行が、上記第２段階を経てなされる。換言すれば、球送り部材１４０の上記第１段階から上記第３段階への移行が、上記第２段階でもって、ワンクッションを経てなされるので、球案内通路１３１と球送り口部１２５との間において、球詰まりという現象が発生することがない。
【０１８９】
また、上述のように球送り部材１４０の湾曲壁部材Ｎが、前側球受け部１６１、凹状壁部１６２及び後側球受け部１６３を有し、かつ突起Ｑが凹状壁部１６２内に収容可能に設けられていることで、遊技球Ｘの前側球受け部１６１から後側球受け部１６３への移動距離が短縮され得る。このことは、球送り部材１４０の左右方向の全長、換言すれば球送り装置Ｕの左右方向の全長を短縮し得て、球送り装置Ｕをより一層コンパクトに構成し得ることを意味する。
【０１９０】
ところで、糸ｔを付随してなる遊技球が、糸付き遊技球Ｙ（図３１参照）として、球受け皿９０の凹状貯留部９１内に貯留されているものとする。なお、糸ｔは、その基端部にて遊技球Ｙの表面に固着されて、凹状貯留部９１から当該パチンコ遊技機の前側へ延出しているものとする。また、当該糸ｔの延出端部は、遊技者の手により把持されているものとする。
【０１９１】
しかして、当該糸付き遊技球Ｙが、糸ｔを付随させながら、球送り装置ＵのケーシングＫ内に球導入口部１１５から導入されると、糸ｔが、遊技球Ｙに付随してケーシングＫ内に球導入口部１１５から導入される。これに伴い、遊技球Ｙが、その自重のもと、球案内通路１３１上に沿いその傾斜端部に向けて案内されて移動する。このとき、糸ｔが、遊技球Ｙの球案内通路１３１上に沿う移動に伴い、当該遊技球ＹによりケーシングＫ内に引っ張り込まれる。
【０１９２】
ここで、遊技球Ｙの球供給通路９２による球導入口部１１５への供給方向と、当該遊技球Ｙの球案内通路１３１に沿う移動方向とは、球導入口部１１５の近傍部分を除き、図３０から分かるように、互いに並行となっている。しかも、糸ｔは、その延出端部にて、遊技者の手により把持されているため、当該糸ｔは、上述のような遊技球Ｙの球案内通路１３１上に沿う移動に伴い、当該遊技球Ｙと遊技者の手との間でピンと張られる状態となる。
【０１９３】
このため、糸ｔは、その中間部位にて、球導入口部１１５の舌片部１１５ａの傾斜状上縁部Ｃ或いは傾斜状下縁部Ｄに沿い摺動して、上記上側Ｖ字状交差部或いは上記下側Ｖ字状交差部内に強く係合する。従って、糸ｔは、ピンと張った状態で、その中間部位にて右側内縁部１１５ｂに強く摩擦接触しながら、遊技球Ｙの球案内通路１３１上に沿う移動に応じて、ケーシングＫ内に引き込まれていくことになる。その結果、遊技者による糸ｔの出し入れ操作が、糸ｔの上記上側Ｖ字状交差部或いは上記下側Ｖ字状交差部との強い摩擦接触に起因して、行われ難くなる。
【０１９４】
上述のように、糸付き遊技球Ｙが球案内通路１３１上に沿いその傾斜端部に向けて案内されて移動したとき、球送り部材１４０が上記初期段階にあれば、遊技球Ｙは、球送り部材１４０の左側湾曲壁１６０ｃによりその上端部にて球案内通路１３１の傾斜端部上に維持される。このとき、糸ｔは、遊技球Ｙと遊技者の手との間で球導入口部１１５における上記上側Ｖ字状交差部或いは上記下側Ｖ字状交差部を介しピンと張られる状態に維持される。
【０１９５】
然る後、球送り部材１４０が、上述のごとく、上記初期段階から上記第１段階に移行すると、上述のように上記初期段階にて球案内通路１３１の傾斜端部上に維持されている遊技球Ｙが、上述のごとく、球送り部材１４０の上記下側傾動端への傾動に伴い当該球送り部材１４０の左側湾曲壁１６０ｃから解放されて当該球送り部材１４０の前側球受け部１６１の壁部１６１ｂ上に移動して受承されて壁部１６１ａと突起Ｑとにより維持される。
【０１９６】
このとき、球送り部材１４０が上記初期段階から上記第１段階に移行する過程であるため、傾動壁部材Ｍの引き込みロッド部１５０ｄが、糸ｔのうち球案内通路１３１と球送り部材１４０の前側球受け部１６１との間の中間部位よりも上方に位置しつつ下動する状態にあれば、糸ｔは、上記中間部位にて、遊技球Ｙの球案内通路１３１の傾斜端部から前側球受け部１６１の壁部１６１ｂ上への移動に伴い、さらに下動する引き込みロッド部１５０ｄにより下方へ押え込まれつつ、遊技球Ｙにより引っ張り込まれることとなる。
【０１９７】
このように糸ｔが引っ張り込まれる状態では、糸ｔの上記中間部位に対する引き込みロッド部１５０ｄの押え度合いや押え強度は、当該引き込みロッド部１５０ｄが下動するほど、大きくなるため、上述のように遊技球Ｙが球案内通路１３１の傾斜端部から前側球受け部１６１の壁部１６１ｂ上へ移動しようとしても、当該移動は、糸ｔに対する引き込みロッド部１５０ｄの押え込みに起因して、抑制されることとなる。
【０１９８】
このことは、球送り部材１４０の上記初期段階から上記第１段階への移行でもって、糸ｔの球導入口部１１５の右側内縁部１１５ｂとの間の強い係合による摩擦接触のもとに、遊技球Ｙの球送り口部１２５側への移動が引き込みロッド部１５０ｄにより抑制され得ることを意味する。
【０１９９】
ついで、球送り部材１４０が、上述のごとく、上記第１段階から上記第２段階に移行すると、遊技球Ｙが、遊技球Ｘの場合と同様に、突起Ｑの凹状壁部１６２内への収容に伴い、壁部１６１ａ上から突起Ｑの上側面Ｑｂに沿い移動して当該突起Ｑと球送り部材１４０の後側球受け部１６３側へ移動して突起Ｑと後側球受け部１６３との間に維持される。このとき、球送り部材１４０の上記第１段階から上記第２段階への移行に伴い、引き込みロッド部１５０ｄが上方へ移動するので、糸ｔは、よる抑え込みから解放される。
【０２００】
然る後、球送り部材１４０が、上述のごとく、上記第２段階から上記第３段階へ移行すると、第２段階にて突起Ｑと後側球受け部１６３との間に維持されている遊技球Ｙは、遊技球Ｘと同様に、球送り部材１４０の再度の上記下側傾動端への傾動に伴う後側球受け部１６３の下方への移動に応じて、上述のごとく突起Ｑの上側面Ｑｂから後側球受け部１６３の上側傾斜端部１６３ａを介して球送り口部１２５側へ近づくように案内壁部１２６の上面に移動して案内壁部１２７によりその傾斜状案内面部１２７ｂに沿い球送り口部１２５内に案内される。
【０２０１】
このとき、球送り部材１４０の上記第２段階から上記第３段階への移行に伴い、糸ｔが、再び、上述と同様に、引き込みロッド部１５０ｄにより上方から抑え込まれるため、糸ｔの球導入口部１１５の右側内縁部１１５ｂとの間の強い係合による摩擦接触のもとに、遊技球Ｙの球送り口部１２５内への案内が引き込みロッド部１５０ｄにより抑制され得ることを意味する。
【０２０２】
以上のように、糸付き遊技球Ｙが球導入口部１１５から球送り口部１２５内へ案内される過程においては、糸ｔが、上述のごとく、球導入口部１１５の右側内縁部１１５ｂとの間の強い係合による摩擦接触及び引き込みロッド部１５０ｄにより上方からの押え込みでもって、遊技球Ｙの球導入口部１１５から球送り口部１２５内への案内が大きく抑制され得る。このことは、遊技者による糸付き遊技球Ｙを利用する不正行為の抑制につながることを意味する。
【０２０３】
ここで、上述のように球送り口部１２５に案内された遊技球Ｙが、当該球送り口部１２５から発射レール７０ｂ上に送られて発射機構７０ａにより打撃を加えられて発射レール７０ｂに沿い発射されるものとする。このとき、遊技球Ｙは、少なくとも上述した球導入口部１１５の右側内縁部１１５ｂとの間の強い係合による摩擦接触のもとに、糸ｔを付随しながら発射される。
【０２０４】
また、本実施形態では、発射レール７０ｂが、上述のように球送り装置Ｕの後壁１２０ｂ（後述する）に沿い遊技球の発射方向からその逆方向へ下方に向け傾斜するように、後側壁球送り口部１２５（後述する）の下方にて位置する。従って、糸ｔが遊技球Ｙに付随して球送り口部１２５に向けて引っ張られる方向と発射レール７０ｂに沿う遊技球Ｙの発射方向との間の角度は、非常に小さい。
【０２０５】
従って、遊技球Ｙが上述のように発射レール７０ｂに沿い発射されると、糸ｔが、遊技球Ｙと遊技者の手との間でピンと張る状態に維持されて、球送り口部１２５の左側縁部１２５ｂの下側部位に係合する。
【０２０６】
このとき、発射レール７０ｂが上述のごとく遊技球の発射方向からその逆方向へ下方に向け傾斜しているため、遊技球Ｙは、発射レール７０ｂに沿い上方へ傾斜状に発射される。このため、遊技球Ｙに付随する糸ｔは、その球送り口部１２５の左側縁部１２５ｂの下側部位に係合する部位にて、左側縁部１２５ｂの下側部位から上側へ位置ずれして球送り口部１２５の矩形凹状切り欠き部１２５ｅ内に嵌り込む。
【０２０７】
ここで、金属板１７０の右縁部１７４のうち球送り口部１２５の矩形凹状切り欠き部１２５ｅ内に位置する部位は、上述したごとく、刃１７３の先端部１７３ｄと共に、凹所１７４ａの面方向開口端の下側部位１７４ｂから上側部位１７４ｃにかけて図２４にて示すごとく同一傾斜線上に位置するように、切り欠き形成されている。しかも、金属板１７０の右縁部１７４の凹所１７４ａ及び刃１７３は、上述のごとく、球送り穴部１２５の矩形凹状切り欠き部１２５ｅの中空部の内側領域を通して前方を臨むように小さく形成されている。
【０２０８】
従って、糸ｔは、上述のように矩形凹状切り欠き部１２５ｅ内に嵌り込むに伴い、遊技者の手と遊技球Ｙとの間でピンと張った状態のもと、遊技球Ｙの発射方向への移動に基づき、金属板１７０の右縁部１７４のうち球送り口部１２５の矩形凹状切り欠き部１２５ｅ内に位置する部位に確実に係合する。
【０２０９】
ここで、上述したごとく、凹所１７４ａの面方向開口端の下側部位１７４ｂ及び上側部位１７４ｃは、刃１７３の先端部１７３ｄと共に、図２４にて示すごとく同一傾斜線上に位置する。
【０２１０】
従って、糸ｔが、金属板１７０の右縁部１７４のうち球送り口部１２５の矩形凹状切り欠き部１２５ｅ内に位置する部位に係合したとき、当該糸ｔは、技球Ｙによりその発射方向に引っ張られながら、下側部位１７４ｂ、刃１７３の先端部１７３ｄ或いは上側部位１７４ｃに沿い摩擦接触しつつ、上記同一傾斜線の方向に移動する。
【０２１１】
ここで、刃１７３の先端部１７３ｄが当該刃１７３の下縁部１７３ｃに対する法線方向との間になす角度は、上述したごとく、糸の刃１７３との係合を強く確保し得る所定の小鋭角となっている。従って、上述した糸ｔの下側部位１７４ｂ、刃１７３の先端部１７３ｄ或いは上側部位１７４ｃとの摩擦接触は強くなされるので、糸ｔは、遊技球Ｙに付随する移動が良好に抑制され得る。
【０２１２】
また、金属板１７０において、刃１７３は、上述したごとく、金属板１７０の右縁部１７４の凹所１７４ａから後側に向け凹所１７４ａの底部から傾斜状に突出するように、形成されており、刃１７３の凹所１７４ａの底部から後側への傾斜角は、上述したごとく、刃１７３の上縁部１７３ｂ或いは下縁部１７３ｃとこれに対する凹所１７４ａの対応内縁部との間に形成される下側或いは上側の楔状係合溝部内に糸をしっかりと係合させ得るように、所定の小鋭角に設定されている。
【０２１３】
従って、糸ｔが、例えば、下側部位１７４ｂ、刃１７３の先端部１７３ｄ及び上側部位１７４ｃのうち下側部位１７４ｂに係合した場合には、当該糸ｔは、遊技球Ｙにより引っ張られながら、下側部位１７４ｂに沿い刃１７３の先端部１７３ｄに向けて移動して、下側部位１７４ｂと刃１７３の先端部１７３ｄとの間の下側楔状係合溝部内に嵌まり込んで係合する。このとき、糸ｔは、発射方向へ移動する遊技球Ｙに付随して引っ張られるので、当該糸ｔの上記下側係合部内への係合は強くなされ得る。これに伴い、糸ｔの遊技球Ｙに付随する移動が強く抑制され得る。
【０２１４】
このとき、糸ｔが上述のように下側係合溝部内に嵌らなくても、下側部位１７４ｂ及び刃１７３の先端部１７３ｄは、上述のように、同一傾斜線上に位置するため、当該糸ｔは、下側部位１７４ｂから刃１７３の先端部１７３ｄにかけて円滑に移動し得る。
【０２１５】
また、このように糸ｔが下側部位１７４ｂから刃１７３の先端部１７３ｄに移動したり、或いは、当該糸ｔが、刃１７３の先端部１７３ｄに直接係合する場合には、当該糸ｔは、遊技球Ｙにより引っ張られながら、刃１７３の先端部１７３ｄに沿い移動して、当該刃１７３の先端部１７３と上側部位１７４ｃとの間の上側楔状係合溝部内に嵌り込んで係合する。このとき、糸ｔは、上述のように遊技球Ｙに付随して引っ張られるので、当該糸ｔの上記上側係合部内への係合は強くなされ得る。これに伴い、糸ｔの遊技球Ｙに付随する移動が強く抑制され得る。
【０２１６】
また、上述のように、糸ｔが、金属板１７０の上記下側楔状係合溝部内に係合した場合、刃１７３が、上述のごとく、金属板１７０の右縁部１７４の下側中間部位を細幅状に後方へ切り起こすようにして形成されているため、当該糸ｔは、金属板１７０の右縁部１７４の凹所１７４ａと刃１７３との間を通り、金属板１７０の上記上側楔状係合溝部にも嵌まり込む可能性が高い。
【０２１７】
しかして、糸ｔが、金属板１７０の上記下側楔状係合溝部及び上記上側楔状係合溝部の双方の各内部に亘り嵌まり込むと、当該糸ｔは、上記下側楔状係合溝部及び上記上側楔状係合溝部の双方の各内部に、より一層強く係合することとなる。その結果、糸ｔの遊技球Ｙに付随する移動がより一層強く抑制され得る。
【０２１８】
以上のように、糸ｔが、遊技球Ｙと遊技者の手との間でピンと張った状態で、発射方向へ移動する遊技球Ｙにより引っ張られて、上述のごとく、上記下側楔状係合溝部或いは上記上側楔状係合溝部内または当該下側及び上側の楔状係合溝部内に係合するので、糸ｔは、遊技球Ｙに付随して発射方向に移動し難くなるとともに、当該遊技球Ｙの発射方向への移動を良好に抑制し得る。
【０２１９】
また、本実施形態においては、押え部材２００が、上述のごとく、その押え板２０５ｂでもって、刃１７３を抑え込んでいるため、刃１７３の傾斜角度は、適正に維持される。その結果、糸ｔの上記下側楔状係合溝部或いは上記上側楔状係合溝部の内部への係合が良好に確保され得る。
【０２２０】
然るに、糸付き遊技球Ｙが、以上のような過程を経て、図３１或いは図３２から分かるように、案内レール３０の案内通路３３を通り、遊技盤２０の盤面２１の遊技領域２１ａ内に案内される場合には、糸ｔが、遊技者の手により引っ張られた状態で、球送り装置Ｕの球送り口部１２５、発射レール７０ｂ、案内レール３０の内側レール部３１と外側レール部３２との間を通り、遊技球Ｙに付随して遊技領域２１ａ内に進入することとなる。このとき、遊技球Ｙは、自重により、糸ｔの基端部にぶら下がるように当該糸ｔにより維持される（図３１参照）。
【０２２１】
このような状態では、糸ｔは、遊技球Ｙの自重に基づき、内側レール部３１の図３１にて図示先端部を介し遊技盤２０の盤面２１に沿い遊技領域２１ａ内に垂れ下がるようにして遊技球Ｙを維持する。
【０２２２】
このような段階において、遊技者が、始動入賞口装置４０ａ、電動チューリップ装置４０ｂや普通入賞口装置５０に入賞させる意図でもって、その手により、糸ｔを引っ張ったり、糸ｔを遊技球Ｙの自重を利用して遊技領域２１ａ内に押し込んだりすることで、糸ｔでもって、遊技球Ｙを上下方向或いは左右方向に移動させるという不正な行為を行う場合、糸ｔが、上述のように、遊技者の手と遊技球Ｙとの間でピンと張った状態にて、上述のように、球送り装置Ｕの球導入口部１１５における上記上側Ｖ字状交差部或いは上記下側Ｖ字状交差部との間の強い係合、並びに球送り装置Ｕの金属板１７０の上記下側楔状係合溝部及び上記上側楔状係合溝部の少なくとも一方との間の強い係合のもとに、引っ張られたり押し込まれたりすることとなる。
【０２２３】
このため、糸ｔは、球導入口部１１５における上記上側Ｖ字状交差部或いは上記下側Ｖ字状交差部との間の強い係合のもとに当該上側Ｖ字状交差部或いは上記下側Ｖ字状交差部に強く摩擦接触しながら摺動するとともに、金属板１７０の上記下側楔状係合溝部及び上記上側楔状係合溝部の少なくとも一方との間の強い係合のもとに、上記下側楔状係合溝部及び上記上側楔状係合溝部の少なくとも一方に強く摩擦接触しながら摺動することとなる。
【０２２４】
従って、糸ｔが、上述の摩擦接触に起因して、球導入口部１１５及び金属板１７０において、出し入れし難くなったり、擦り減って切断され得る。その結果、上記不正行為を良好に防止することができる。
【０２２５】
なお、本発明の実施にあたり、上記実施形態に限ることなく、次のような種々の変形例が挙げられる。
（１）本発明の実施にあたり、上記実施形態とは異なり、当該パチンコ遊技機による遊技の終了の際には、球送り装置Ｕから発射レール７０ｂ上に送られる遊技球が上記槌部材により打撃を加えられて発射された後の新たな遊技球が発射レール７０ｂ上に球送り装置Ｕから送られず、当該発射レール７０ｂ上に遊技球を残存させることなく、当該遊技を終了するようにしてもよい。
（２）本発明の実施にあたり、上記実施形態にて述べた球送り装置Ｕの球導入口部１１５に設けた舌片部１１５ａ、上記上側Ｖ字状交差部及び上記下側Ｖ字状交差部は廃止してもよく、また、球送り部材１４０の引き込みロッド部１５０ｄは廃止してもよい。
（３）本発明の実施にあたり、案内壁部１２７は、案内壁部１２６上に位置するか当該案内壁部１２６から上方へ延出するように後側ケーシング部材１２０の右側壁部１２４から後側球受け部１６３側へ延出される案内壁部であってその上面部に沿い案内壁部１２６からの遊技球を受承するようになっていてもよい。
【０２２６】
ここで、当該案内壁部１２７は、後側球受け部１６３及び球送り口部１２５の双方を臨むように傾斜状に形成してなる傾斜状案内面部であって後側球受け部１６３から移動する遊技球を当該後側球受け部１６３の上面部に沿い球送り口部１２５内に案内する傾斜状案内面部１２７ｂを有するように形成されていてもよい。
（４）本発明の実施にあたり、突起Ｑは、上記実施形態にて述べたように後側ケーシング部材１２０の後壁１２０ｂから前側ケーシング部材１１０の前壁１１０ｂに向けて突出される構成に限らず、発射レール７０ｂ側から球受け皿９０側に向けて突出されるように構成してもよい。
（５）本発明の実施にあたり、金属板１７０に代えて金属部材を採用し、当該金属部材が、球送り穴部１２５の矩形凹状切り欠き部１２５ｅの中空部の内側領域にする対応板部位にて細幅状に発射レール７０ｂ側へ切り起こし形成してなる刃１７３を有するように構成されていてもよい。
【符号の説明】
【０２２７】
７０…球発射装置、７０ｂ…発射レール、９０…球受け皿、
１１５…球導入口部、１２４…右側壁部、１２５…送り口部、
１２６…、１２７…案内壁部、１２７ｂ…傾斜状案内面部、１４０…球送り部材、
１３１…球案内通路、１５０ａ…傾動基部、１６１…前側球受け部、
１６３…後側球受け部、Ｋ…ケーシング、Ｑ…突起。
【図１】
2016067591.tif 000003
【図２】
2016067591.tif 000004
【図３】
2016067591.tif 000005
【図４】
2016067591.tif 000006
【図５】
2016067591.tif 000007
【図６】
2016067591.tif 000008
【図７】
2016067591.tif 000009
【図８】
2016067591.tif 000010
【図９】
2016067591.tif 000011
【図１０】
2016067591.tif 000012
【図１１】
2016067591.tif 000013
【図１２】
2016067591.tif 000014
【図１３】
2016067591.tif 000015
【図１４】
2016067591.tif 000016
【図１５】
2016067591.tif 000017
【図１６】
2016067591.tif 000018
【図１７】
2016067591.tif 000019
【図１８】
2016067591.tif 000020
【図１９】
2016067591.tif 000021
【図２０】
2016067591.tif 000022
【図２１】
2016067591.tif 000023
【図２２】
2016067591.tif 000024
【図２３】
2016067591.tif 000025
【図２４】
2016067591.tif 000026
【図２５】
2016067591.tif 000027
【図２６】
2016067591.tif 000028
【図２７】
2016067591.tif 000029
【図２８】
2016067591.tif 000030
【図２９】
2016067591.tif 000031
【図３０】
2016067591.tif 000032
【図３１】
2016067591.tif 000033
【図３２】
2016067591.tif 000034